(57)【特許請求の範囲】
【請求項１】
時分割複信（ＴＤＤ）システムに適用される、応答情報を受信するための装置であって、前記装置は、
セカンダリサービングセルにおいて、物理ダウンリンク共有チャネル（ＰＤＳＣＨ）をユーザ機器（ＵＥ）に送信することを決定する決定モジュールと、
前記セカンダリサービングセルにおいて、前記決定モジュールにより決定された前記ＰＤＳＣＨを前記ＵＥに送信する送信モジュールであって、前記決定モジュールは、さらに、前記セカンダリサービングセルに対応するハイブリッド自動再送要求（ＨＡＲＱ）時系列関係を決定し、前記ＨＡＲＱ時系列関係は、前記ＰＤＳＣＨとＨＡＲＱ肯定応答（ＨＡＲＱ−ＡＣＫ）情報との間のＨＡＲＱ時系列関係である、送信モジュールと、
前記決定モジュールにより決定された前記ＨＡＲＱ時系列関係に従いプライマリサービングセルにおいて、前記ＰＤＳＣＨに対応するＨＡＲＱ−ＡＣＫを受信する受信モジュールと
を備え、
前記プライマリサービングセルは、前記ＵＥのための基地局により構成されるＴＤＤプライマリサービングセルであり、前記セカンダリサービングセルは、前記ＵＥのための前記基地局により構成される少なくとも１つのＴＤＤセカンダリサービングセル内のセカンダリサービングセルであり、
前記ＨＡＲＱ時系列関係は、
前記プライマリサービングセルのアップリンク−ダウンリンク構成が、アップリンク−ダウンリンク構成０、アップリンク−ダウンリンク構成１、アップリンク−ダウンリンク構成２、又はアップリンク−ダウンリンク構成６のうちの何れか１つであり、
前記プライマリサービングセルの前記アップリンク−ダウンリンク構成が前記アップリンク−ダウンリンク構成０であるとき、前記プライマリサービングセルのアップリンクサブフレームは、サブフレーム２、サブフレーム３、サブフレーム４、サブフレーム７、サブフレーム８、及びサブフレーム９を含み、対応する前記サブフレーム２から５サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から４サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム４から４サブフレームだけ前方にオフセットされるサブフレームに対応する前記セカンダリサービングセルのサブフレームについてのＨＡＲＱ−ＡＣＫは、前記プライマリサービングセルの前記サブフレーム４においてフィードバックされ、対応する前記サブフレーム７から６サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされ、対応する前記サブフレーム８から５サブフレームだけ前方にオフセットされ、及び／又は４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされ、対応する前記サブフレーム９から４サブフレームだけ前方にオフセットされるサブフレームに対応する前記セカンダリサービングセルのサブフレームについてのＨＡＲＱ−ＡＣＫは、前記プライマリサービングセルの前記サブフレーム９においてフィードバックされること、
前記プライマリサービングセルの前記アップリンク−ダウンリンク構成が前記アップリンク−ダウンリンク構成１であるとき、前記プライマリサービングセルのアップリンクサブフレームは、サブフレーム２、サブフレーム３、サブフレーム７、及びサブフレーム８を含み、対応する前記サブフレーム２から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム７から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされ、対応する前記サブフレーム８から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること、
前記プライマリサービングセルの前記アップリンク−ダウンリンク構成が前記アップリンク−ダウンリンク構成２であるとき、前記プライマリサービングセルのアップリンクサブフレームは、サブフレーム２及びサブフレーム７を含み、対応する前記サブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされること、又は、
前記プライマリサービングセルの前記アップリンク−ダウンリンク構成が前記アップリンク−ダウンリンク構成６であるとき、前記プライマリサービングセルのアップリンクサブフレームは、サブフレーム２、サブフレーム３、サブフレーム４、サブフレーム７、及びサブフレーム８を含み、対応する前記サブフレーム２から８サブフレームだけ前方にオフセットされ、及び／又は７サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム４から６サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム４においてフィードバックされ、対応する前記サブフレーム７から７サブフレームだけ前方にオフセットされるサブフレームに対応する前記セカンダリサービングセルのサブフレームについてのＨＡＲＱ−ＡＣＫは、前記プライマリサービングセルの前記サブフレーム７においてフィードバックされ、対応する前記サブフレーム８から７サブフレームだけ前方にオフセットされ、６サブフレームだけ前方にオフセットされ、及び５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること
を含む、装置。
【請求項２】
前記プライマリサービングセルの前記アップリンクサブフレームは、前記セカンダリサービングセルのアップリンクサブフレームではないアップリンクサブフレームを含む、請求項１に記載の装置。
【請求項３】
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム７、又は前記サブフレーム８においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム４又は前記サブフレーム９においてフィードバックされ得る前記セカンダリサービングセルの前記サブフレームについての前記ＨＡＲＱ−ＡＣＫに対応する前記セカンダリサービングセルの前記サブフレームの数は１であり、
前記プライマリサービングセルの前記アップリンク−ダウンリンク構成が前記アップリンク−ダウンリンク構成１であるとき、前記プライマリサービングセルの前記サブフレーム２又は前記サブフレーム７においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム３又は前記サブフレーム８においてフィードバックされ得る前記セカンダリサービングセルの前記サブフレームについての前記ＨＡＲＱ−ＡＣＫに対応する前記セカンダリサービングセルの前記サブフレームの数は３であり、
前記プライマリサービングセルの前記アップリンク−ダウンリンク構成が前記アップリンク−ダウンリンク構成２であるとき、前記プライマリサービングセルの前記サブフレーム２又は前記サブフレーム７においてフィードバックされ得る前記セカンダリサービングセルの前記サブフレームについての前記ＨＡＲＱ−ＡＣＫに対応する前記セカンダリサービングセルの前記サブフレームの数は５であり、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、又は前記サブフレーム４においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム７においてフィードバックされ得る前記セカンダリサービングセルの前記サブフレームについての前記ＨＡＲＱ−ＡＣＫに対応する前記セカンダリサービングセルの前記サブフレームの数は１であり、前記プライマリサービングセルの前記サブフレーム８においてフィードバックされ得る前記セカンダリサービングセルの前記サブフレームについての前記ＨＡＲＱ−ＡＣＫに対応する前記セカンダリサービングセルの前記サブフレームの数は３である、請求項１又は２に記載の装置。
【請求項４】
前記ＵＥは全二重ＵＥであり、前記受信モジュールは、具体的には、
前記ＰＤＳＣＨに対応する前記ＨＡＲＱ−ＡＣＫが受信されるサブフレームに従ってＭ値を決定し、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数が減算された後に取得される数値であり、
前記Ｍ値に従って、チャネル選択モードにおけるＨＡＲＱ−ＡＣＫフィードバックテーブルを決定し、
前記ＨＡＲＱ−ＡＣＫフィードバックテーブルに従い前記プライマリサービングセルにおいて、前記ＰＤＳＣＨに対応する前記ＨＡＲＱ−ＡＣＫを受信する、請求項３に記載の装置。
【請求項５】
前記ＵＥは全二重ＵＥであり、前記受信モジュールは、具体的には、
前記ＰＤＳＣＨに対応する前記ＨＡＲＱ−ＡＣＫが受信されるサブフレームに従ってＭ値を決定し、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数が減算された後に取得される数値であり、
前記Ｍ値に従って、物理アップリンク制御チャネルフォーマット３のモードにおけるＨＡＲＱ−ＡＣＫコードブックサイズを決定し、
前記ＨＡＲＱ−ＡＣＫコードブックサイズに従い前記プライマリサービングセルにおいて、前記ＰＤＳＣＨに対応する前記ＨＡＲＱ−ＡＣＫを受信する、請求項３に記載の装置。
【請求項６】
前記ＵＥは半二重ＵＥであり、前記受信モジュールは、具体的には、
前記ＰＤＳＣＨに対応する前記ＨＡＲＱ−ＡＣＫが受信されるサブフレームに従ってＭ値を決定し、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数と、前記セカンダリサービングセルの前記サブフレーム内のダウンリンクサブフレームの数とが減算された後に取得される数値であり、前記ダウンリンクサブフレームと同じ時間におけるサブフレームは、前記プライマリサービングセル内のアップリンクサブフレーム又はスペシャルサブフレームであり、
前記Ｍ値に従って、チャネル選択モードにおけるＨＡＲＱ−ＡＣＫフィードバックテーブルを決定し、
前記ＨＡＲＱ−ＡＣＫフィードバックテーブルに従い前記プライマリサービングセルにおいて、前記ＰＤＳＣＨに対応する前記ＨＡＲＱ−ＡＣＫを受信する、請求項３に記載の装置。
【請求項７】
前記ＵＥは半二重ＵＥであり、前記受信モジュールは、具体的には、
前記ＰＤＳＣＨに対応する前記ＨＡＲＱ−ＡＣＫが受信されるサブフレームに従ってＭ値を決定し、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数と、前記セカンダリサービングセルの前記サブフレーム内のダウンリンクサブフレームの数とが減算された後に取得される数値であり、前記ダウンリンクサブフレームと同じ時間におけるサブフレームは、前記プライマリサービングセル内のアップリンクサブフレーム又はスペシャルサブフレームであり、
前記Ｍ値に従って、物理アップリンク制御チャネルフォーマット３のモードにおけるＨＡＲＱ−ＡＣＫコードブックサイズを決定し、
前記ＨＡＲＱ−ＡＣＫコードブックサイズに従い前記プライマリサービングセルにおいて、前記ＰＤＳＣＨに対応する前記ＨＡＲＱ−ＡＣＫを受信する、請求項３に記載の装置。
【請求項８】
前記受信モジュールは、さらに、
前記送信モジュールが、前記セカンダリサービングセルにおいて、前記決定モジュールにより決定された前記ＰＤＳＣＨを前記ＵＥに送信する前に、前記ＵＥにより報告される能力情報を受信し、前記能力情報は、前記ＵＥが前記ＨＡＲＱ時系列関係をサポートするか否かを示すべく用いられ、
前記決定モジュールは、さらに
前記能力情報に従って、前記ＵＥが前記ＨＡＲＱ時系列関係をサポートすることを決定する、請求項３から７の何れか一項に記載の装置。
【請求項９】
前記プライマリサービングセルの前記アップリンク−ダウンリンク構成は、
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム４、前記サブフレーム７、前記サブフレーム８、又は前記サブフレーム９のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、
前記プライマリサービングセルの前記アップリンク−ダウンリンク構成が前記アップリンク−ダウンリンク構成１であるとき、前記プライマリサービングセルの前記サブフレーム２、前記サブフレーム３、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、
前記プライマリサービングセルの前記アップリンク−ダウンリンク構成が前記アップリンク−ダウンリンク構成２であるとき、前記プライマリサービングセルの前記サブフレーム２又は前記サブフレーム７のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、前記サブフレーム４、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件
のうちの少なくとも１つを満たす、請求項１から８の何れか一項に記載の装置。
【請求項１０】
前記セカンダリサービングセルのアップリンク−ダウンリンク構成がアップリンク−ダウンリンク構成５であるとき、
前記プライマリサービングセルの前記アップリンク−ダウンリンク構成は、
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム４、前記サブフレーム７、前記サブフレーム８、又は前記サブフレーム９のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、
前記プライマリサービングセルの前記アップリンク−ダウンリンク構成が前記アップリンク−ダウンリンク構成１であるとき、前記プライマリサービングセルの前記サブフレーム２、前記サブフレーム３、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、
前記プライマリサービングセルの前記アップリンク−ダウンリンク構成が前記アップリンク−ダウンリンク構成２であるとき、前記プライマリサービングセルの前記サブフレーム２又は前記サブフレーム７のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、前記サブフレーム４、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件
のうちの少なくとも１つを満たす、請求項１から８の何れか一項に記載の装置。
【請求項１１】
時分割複信（ＴＤＤ）システムに適用される、応答情報を受信するための装置であって、前記装置は、
セカンダリサービングセルにおいて、物理ダウンリンク共有チャネル（ＰＤＳＣＨ）を受信する受信モジュールと、
前記セカンダリサービングセルに対応するハイブリッド自動再送要求（ＨＡＲＱ）時系列関係を決定する決定モジュールであって、前記ＨＡＲＱ時系列関係は、前記受信モジュールにより受信される前記ＰＤＳＣＨと、ＨＡＲＱ肯定応答（ＨＡＲＱ−ＡＣＫ）情報との間のＨＡＲＱ時系列関係である、決定モジュールと、
前記決定モジュールにより決定された前記ＨＡＲＱ時系列関係に従いプライマリサービングセルにおいて、前記ＰＤＳＣＨに対応するＨＡＲＱ−ＡＣＫを送信する送信モジュールと
を備え、
前記プライマリサービングセルは、ユーザ機器（ＵＥ）のための基地局により構成されるＴＤＤプライマリサービングセルであり、前記セカンダリサービングセルは、前記ＵＥのための前記基地局により構成される少なくとも１つのＴＤＤセカンダリサービングセル内のセカンダリサービングセルであり、
前記ＨＡＲＱ時系列関係は、
前記プライマリサービングセルのアップリンク−ダウンリンク構成が、アップリンク−ダウンリンク構成０、アップリンク−ダウンリンク構成１、アップリンク−ダウンリンク構成２、又はアップリンク−ダウンリンク構成６のうちの何れか１つであり、
前記プライマリサービングセルの前記アップリンク−ダウンリンク構成が前記アップリンク−ダウンリンク構成０であるとき、前記プライマリサービングセルのアップリンクサブフレームは、サブフレーム２、サブフレーム３、サブフレーム４、サブフレーム７、サブフレーム８、及びサブフレーム９を含み、対応する前記サブフレーム２から５サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から４サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム４から４サブフレームだけ前方にオフセットされるサブフレームに対応する前記セカンダリサービングセルのサブフレームについてのＨＡＲＱ−ＡＣＫは、前記プライマリサービングセルの前記サブフレーム４においてフィードバックされ、対応する前記サブフレーム７から６サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされ、対応する前記サブフレーム８から５サブフレームだけ前方にオフセットされ、及び／又は４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされ、対応する前記サブフレーム９から４サブフレームだけ前方にオフセットされるサブフレームに対応する前記セカンダリサービングセルのサブフレームについてのＨＡＲＱ−ＡＣＫは、前記プライマリサービングセルの前記サブフレーム９においてフィードバックされること、
前記プライマリサービングセルの前記アップリンク−ダウンリンク構成が前記アップリンク−ダウンリンク構成１であるとき、前記プライマリサービングセルのアップリンクサブフレームは、サブフレーム２、サブフレーム３、サブフレーム７、及びサブフレーム８を含み、対応する前記サブフレーム２から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム７から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされ、対応する前記サブフレーム８から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること、
前記プライマリサービングセルの前記アップリンク−ダウンリンク構成が前記アップリンク−ダウンリンク構成２であるとき、前記プライマリサービングセルのアップリンクサブフレームは、サブフレーム２及びサブフレーム７を含み、対応する前記サブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされること、又は、
前記プライマリサービングセルの前記アップリンク−ダウンリンク構成が前記アップリンク−ダウンリンク構成６であるとき、前記プライマリサービングセルのアップリンクサブフレームは、サブフレーム２、サブフレーム３、サブフレーム４、サブフレーム７、及びサブフレーム８を含み、対応する前記サブフレーム２から８サブフレームだけ前方にオフセットされ、及び／又は７サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム４から６サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム４においてフィードバックされ、対応する前記サブフレーム７から７サブフレームだけ前方にオフセットされるサブフレームに対応する前記セカンダリサービングセルのサブフレームについてのＨＡＲＱ−ＡＣＫは、前記プライマリサービングセルの前記サブフレーム７においてフィードバックされ、対応する前記サブフレーム８から７サブフレームだけ前方にオフセットされ、６サブフレームだけ前方にオフセットされ、及び５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること
を含む、装置。
【請求項１２】
前記プライマリサービングセルの前記アップリンクサブフレームは、前記セカンダリサービングセルのアップリンクサブフレームではないアップリンクサブフレームを含む、請求項１１に記載の装置。
【請求項１３】
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム７、又は前記サブフレーム８においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム４又は前記サブフレーム９においてフィードバックされ得る前記セカンダリサービングセルの前記サブフレームについての前記ＨＡＲＱ−ＡＣＫに対応する前記セカンダリサービングセルの前記サブフレームの数は１であり、
前記プライマリサービングセルの前記アップリンク−ダウンリンク構成が前記アップリンク−ダウンリンク構成１であるとき、前記プライマリサービングセルの前記サブフレーム２又は前記サブフレーム７においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム３又は前記サブフレーム８においてフィードバックされ得る前記セカンダリサービングセルの前記サブフレームについての前記ＨＡＲＱ−ＡＣＫに対応する前記セカンダリサービングセルの前記サブフレームの数は３であり、
前記プライマリサービングセルの前記アップリンク−ダウンリンク構成が前記アップリンク−ダウンリンク構成２であるとき、前記プライマリサービングセルの前記サブフレーム２又は前記サブフレーム７においてフィードバックされ得る前記セカンダリサービングセルの前記サブフレームについての前記ＨＡＲＱ−ＡＣＫに対応する前記セカンダリサービングセルの前記サブフレームの数は５であり、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、又は前記サブフレーム４においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム７においてフィードバックされ得る前記セカンダリサービングセルの前記サブフレームについての前記ＨＡＲＱ−ＡＣＫに対応する前記セカンダリサービングセルの前記サブフレームの数は１であり、前記プライマリサービングセルの前記サブフレーム８においてフィードバックされ得る前記セカンダリサービングセルの前記サブフレームについての前記ＨＡＲＱ−ＡＣＫに対応する前記セカンダリサービングセルの前記サブフレームの数は３である、請求項１１又は１２に記載の装置。
【請求項１４】
前記ＵＥは全二重ＵＥであり、前記送信モジュールは、具体的には、
前記ＰＤＳＣＨに対応する前記ＨＡＲＱ−ＡＣＫが送信されるサブフレームに従ってＭ値を決定し、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数が減算された後に取得される数値であり、
前記Ｍ値に従ってチャネル選択モードにおけるＨＡＲＱ−ＡＣＫフィードバックテーブルを決定し、
前記ＨＡＲＱ−ＡＣＫフィードバックテーブルに従い前記プライマリサービングセルにおいて、前記ＰＤＳＣＨに対応する前記ＨＡＲＱ−ＡＣＫを送信する、請求項１３に記載の装置。
【請求項１５】
前記ＵＥは全二重ＵＥであり、前記送信モジュールは、具体的には、
前記ＰＤＳＣＨに対応する前記ＨＡＲＱ−ＡＣＫが送信されるサブフレームに従ってＭ値を決定し、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数が減算された後に取得される数値であり、
前記Ｍ値に従って、物理アップリンク制御チャネルフォーマット３のモードにおけるＨＡＲＱ−ＡＣＫコードブックサイズを決定し、
前記ＨＡＲＱ−ＡＣＫコードブックサイズに従い前記プライマリサービングセルにおいて、前記ＰＤＳＣＨに対応する前記ＨＡＲＱ−ＡＣＫを送信する、請求項１３に記載の装置。
【請求項１６】
前記ＵＥは半二重ＵＥであり、前記送信モジュールは、具体的には、
前記ＰＤＳＣＨに対応する前記ＨＡＲＱ−ＡＣＫが送信されるサブフレームに従ってＭ値を決定し、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数と、前記セカンダリサービングセルの前記サブフレーム内のダウンリンクサブフレームの数とが減算された後に取得される数値であり、前記ダウンリンクサブフレームと同じ時間におけるサブフレームは、前記プライマリサービングセル内のアップリンクサブフレーム又はスペシャルサブフレームであり、
前記Ｍ値に従って、チャネル選択モードにおけるＨＡＲＱ−ＡＣＫフィードバックテーブルを決定し、
前記ＨＡＲＱ−ＡＣＫフィードバックテーブルに従い前記プライマリサービングセルにおいて、前記ＰＤＳＣＨに対応する前記ＨＡＲＱ−ＡＣＫを送信する、請求項１３に記載の装置。
【請求項１７】
前記ＵＥは半二重ＵＥであり、前記送信モジュールは、具体的には、
前記ＰＤＳＣＨに対応する前記ＨＡＲＱ−ＡＣＫが送信されるサブフレームに従ってＭ値を決定し、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数と、前記セカンダリサービングセルの前記サブフレーム内のダウンリンクサブフレームの数とが減算された後に取得される数値であり、前記ダウンリンクサブフレームと同じ時間におけるサブフレームは、前記プライマリサービングセル内のアップリンクサブフレーム又はスペシャルサブフレームであり、
前記Ｍ値に従って、物理アップリンク制御チャネルフォーマット３のモードにおけるＨＡＲＱ−ＡＣＫコードブックサイズを決定し、
前記ＨＡＲＱ−ＡＣＫコードブックサイズに従い前記プライマリサービングセルにおいて、前記ＰＤＳＣＨに対応する前記ＨＡＲＱ−ＡＣＫを送信する、請求項１３に記載の装置。
【請求項１８】
前記送信モジュールは、さらに
前記受信モジュールが前記セカンダリサービングセルにおいて前記ＰＤＳＣＨを受信する前に、能力情報を前記基地局に報告し、前記能力情報は、前記ＵＥが前記ＨＡＲＱ時系列関係をサポートするか否かを示すべく用いられ、
前記決定モジュールは、さらに
前記能力情報に従って、前記装置が前記ＨＡＲＱ時系列関係をサポートすることを決定する、請求項１３から１７の何れか一項に記載の装置。
【請求項１９】
前記プライマリサービングセルの前記アップリンク−ダウンリンク構成は、
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム４、前記サブフレーム７、前記サブフレーム８、又は前記サブフレーム９のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、
前記プライマリサービングセルの前記アップリンク−ダウンリンク構成が前記アップリンク−ダウンリンク構成１であるとき、前記プライマリサービングセルの前記サブフレーム２、前記サブフレーム３、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、
前記プライマリサービングセルの前記アップリンク−ダウンリンク構成が前記アップリンク−ダウンリンク構成２であるとき、前記プライマリサービングセルの前記サブフレーム２又は前記サブフレーム７のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、前記サブフレーム４、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件
のうちの少なくとも１つを満たす、請求項１１から１８の何れか一項に記載の装置。
【請求項２０】
前記セカンダリサービングセルのアップリンク−ダウンリンク構成がアップリンク−ダウンリンク構成５であるとき、
前記プライマリサービングセルの前記アップリンク−ダウンリンク構成は、
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム４、前記サブフレーム７、前記サブフレーム８、又は前記サブフレーム９のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、
前記プライマリサービングセルの前記アップリンク−ダウンリンク構成が前記アップリンク−ダウンリンク構成１であるとき、前記プライマリサービングセルの前記サブフレーム２、前記サブフレーム３、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、
前記プライマリサービングセルの前記アップリンク−ダウンリンク構成が前記アップリンク−ダウンリンク構成２であるとき、前記プライマリサービングセルの前記サブフレーム２又は前記サブフレーム７のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、前記サブフレーム４、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件
のうちの少なくとも１つを満たす、請求項１１から１８の何れか一項に記載の装置。
【請求項２１】
時分割複信（ＴＤＤ）システムに適用される、応答情報を受信するためのデバイスであって、前記デバイスは、プロセッサと、送信機と、受信機とを備え、
前記プロセッサは、セカンダリサービングセルにおいて、物理ダウンリンク共有チャネル（ＰＤＳＣＨ）をユーザ機器（ＵＥ）に送信することを決定し、
前記送信機は、前記セカンダリサービングセルにおいて、前記プロセッサにより決定された前記ＰＤＳＣＨを前記ＵＥに送信し、
前記プロセッサは、さらに、前記セカンダリサービングセルに対応するハイブリッド自動再送要求（ＨＡＲＱ）時系列関係を決定し、前記ＨＡＲＱ時系列関係は、前記ＰＤＳＣＨとＨＡＲＱ肯定応答（ＨＡＲＱ−ＡＣＫ）情報との間のＨＡＲＱ時系列関係であり、
前記受信機は、前記プロセッサにより決定された前記ＨＡＲＱ時系列関係に従いプライマリサービングセルにおいて、前記ＰＤＳＣＨに対応するＨＡＲＱ−ＡＣＫを受信し、
前記プライマリサービングセルは、前記ＵＥのための基地局により構成されるＴＤＤプライマリサービングセルであり、前記セカンダリサービングセルは、前記ＵＥのための前記基地局により構成される少なくとも１つのＴＤＤセカンダリサービングセル内のセカンダリサービングセルであり、
前記ＨＡＲＱ時系列関係は、
前記プライマリサービングセルのアップリンク−ダウンリンク構成が、アップリンク−ダウンリンク構成０、アップリンク−ダウンリンク構成１、アップリンク−ダウンリンク構成２、又はアップリンク−ダウンリンク構成６のうちの何れか１つであり、
前記プライマリサービングセルの前記アップリンク−ダウンリンク構成が前記アップリンク−ダウンリンク構成０であるとき、前記プライマリサービングセルのアップリンクサブフレームは、サブフレーム２、サブフレーム３、サブフレーム４、サブフレーム７、サブフレーム８、及びサブフレーム９を含み、対応する前記サブフレーム２から５サブフレームだけ前方にオフセットされ、及び／又は６サブフレームだけ前方にオフセットされるサブフレームに対応する前記セカンダリサービングセルのサブフレームについてのＨＡＲＱ−ＡＣＫは、前記プライマリサービングセルの前記サブフレーム２においてフィードバックされ、対応する前記サブフレーム３から４サブフレームだけ前方にオフセットされ、及び／又は５サブフレームだけ前方にオフセットされるサブフレームに対応する前記セカンダリサービングセルのサブフレームについてのＨＡＲＱ−ＡＣＫは、前記プライマリサービングセルの前記サブフレーム３においてフィードバックされ、対応する前記サブフレーム４から４サブフレームだけ前方にオフセットされるサブフレームに対応する前記セカンダリサービングセルのサブフレームについてのＨＡＲＱ−ＡＣＫは、前記プライマリサービングセルの前記サブフレーム４においてフィードバックされ、対応する前記サブフレーム７から６サブフレームだけ前方にオフセットされ、及び／又は５サブフレームだけ前方にオフセットされるサブフレームに対応する前記セカンダリサービングセルのサブフレームについてのＨＡＲＱ−ＡＣＫは、前記プライマリサービングセルの前記サブフレーム７においてフィードバックされ、対応する前記サブフレーム８から５サブフレームだけ前方にオフセットされ、及び／又は４サブフレームだけ前方にオフセットされるサブフレームに対応する前記セカンダリサービングセルのサブフレームについてのＨＡＲＱ−ＡＣＫは、前記プライマリサービングセルの前記サブフレーム８においてフィードバックされ、対応する前記サブフレーム９から４サブフレームだけ前方にオフセットされるサブフレームに対応する前記セカンダリサービングセルのサブフレームについてのＨＡＲＱ−ＡＣＫは、前記プライマリサービングセルの前記サブフレーム９においてフィードバックされること、
前記プライマリサービングセルの前記アップリンク−ダウンリンク構成が前記アップリンク−ダウンリンク構成１であるとき、前記プライマリサービングセルのアップリンクサブフレームは、サブフレーム２、サブフレーム３、サブフレーム７、及びサブフレーム８を含み、対応する前記サブフレーム２から７サブフレームだけ前方にオフセットされ、及び／又は６サブフレームだけ前方にオフセットされるサブフレームに対応する前記セカンダリサービングセルのサブフレームについてのＨＡＲＱ−ＡＣＫは、前記プライマリサービングセルの前記サブフレーム２においてフィードバックされ、対応する前記サブフレーム３から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム７から７サブフレームだけ前方にオフセットされ、及び／又は６サブフレームだけ前方にオフセットされるサブフレームに対応する前記セカンダリサービングセルのサブフレームについてのＨＡＲＱ−ＡＣＫは、前記プライマリサービングセルの前記サブフレーム７においてフィードバックされ、対応する前記サブフレーム８から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること、
前記プライマリサービングセルの前記アップリンク−ダウンリンク構成が前記アップリンク−ダウンリンク構成２であるとき、前記プライマリサービングセルのアップリンクサブフレームは、サブフレーム２及びサブフレーム７を含み、対応する前記サブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされること、又は、
前記プライマリサービングセルの前記アップリンク−ダウンリンク構成が前記アップリンク−ダウンリンク構成６であるとき、前記プライマリサービングセルのアップリンクサブフレームは、サブフレーム２、サブフレーム３、サブフレーム４、サブフレーム７、及びサブフレーム８を含み、対応する前記サブフレーム２から８サブフレームだけ前方にオフセットされ、及び／又は７サブフレームだけ前方にオフセットされるサブフレームに対応する前記セカンダリサービングセルのサブフレームについてのＨＡＲＱ−ＡＣＫは、前記プライマリサービングセルの前記サブフレーム２においてフィードバックされ、対応する前記サブフレーム３から７サブフレームだけ前方にオフセットされ、及び／又は６サブフレームだけ前方にオフセットされるサブフレームに対応する前記セカンダリサービングセルのサブフレームについてのＨＡＲＱ−ＡＣＫは、前記プライマリサービングセルの前記サブフレーム３においてフィードバックされ、対応する前記サブフレーム４から６サブフレームだけ前方にオフセットされ、及び／又は５サブフレームだけ前方にオフセットされるサブフレームに対応する前記セカンダリサービングセルのサブフレームについてのＨＡＲＱ−ＡＣＫは、前記プライマリサービングセルの前記サブフレーム４においてフィードバックされ、対応する前記サブフレーム７から７サブフレームだけ前方にオフセットされるサブフレームに対応する前記セカンダリサービングセルのサブフレームについてのＨＡＲＱ−ＡＣＫは、前記プライマリサービングセルの前記サブフレーム７においてフィードバックされ、対応する前記サブフレーム８から７サブフレームだけ前方にオフセットされ、６サブフレームだけ前方にオフセットされ、及び５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること
を含む、デバイス。
【請求項２２】
時分割複信（ＴＤＤ）システムに適用される、応答情報を受信するためのデバイスであって、前記デバイスは、プロセッサと、受信機と、送信機とを備え、
前記受信機は、セカンダリサービングセルにおいて物理ダウンリンク共有チャネル（ＰＤＳＣＨ）を受信し、
前記プロセッサは、前記セカンダリサービングセルに対応するハイブリッド自動再送要求（ＨＡＲＱ）時系列関係を決定し、前記ＨＡＲＱ時系列関係は、前記受信機により受信される前記ＰＤＳＣＨと、ＨＡＲＱ肯定応答（ＨＡＲＱ−ＡＣＫ）情報との間のＨＡＲＱ時系列関係であり、
前記送信機は、前記プロセッサにより決定された前記ＨＡＲＱ時系列関係に従いプライマリサービングセルにおいて、前記ＰＤＳＣＨに対応するＨＡＲＱ−ＡＣＫを送信し、
前記プライマリサービングセルは、ユーザ機器（ＵＥ）のための基地局により構成されるＴＤＤプライマリサービングセルであり、前記セカンダリサービングセルは、前記ＵＥのための前記基地局により構成される少なくとも１つのＴＤＤセカンダリサービングセル内のセカンダリサービングセルであり、
前記ＨＡＲＱ時系列関係は、
前記プライマリサービングセルのアップリンク−ダウンリンク構成が、アップリンク−ダウンリンク構成０、アップリンク−ダウンリンク構成１、アップリンク−ダウンリンク構成２、又はアップリンク−ダウンリンク構成６のうちの何れか１つであり、
前記プライマリサービングセルの前記アップリンク−ダウンリンク構成が前記アップリンク−ダウンリンク構成０であるとき、前記プライマリサービングセルのアップリンクサブフレームは、サブフレーム２、サブフレーム３、サブフレーム４、サブフレーム７、サブフレーム８、及びサブフレーム９を含み、対応する前記サブフレーム２から５サブフレームだけ前方にオフセットされ、及び／又は６サブフレームだけ前方にオフセットされるサブフレームに対応する前記セカンダリサービングセルのサブフレームについてのＨＡＲＱ−ＡＣＫは、前記プライマリサービングセルの前記サブフレーム２においてフィードバックされ、対応する前記サブフレーム３から４サブフレームだけ前方にオフセットされ、及び／又は５サブフレームだけ前方にオフセットされるサブフレームに対応する前記セカンダリサービングセルのサブフレームについてのＨＡＲＱ−ＡＣＫは、前記プライマリサービングセルの前記サブフレーム３においてフィードバックされ、対応する前記サブフレーム４から４サブフレームだけ前方にオフセットされるサブフレームに対応する前記セカンダリサービングセルのサブフレームについてのＨＡＲＱ−ＡＣＫは、前記プライマリサービングセルの前記サブフレーム４においてフィードバックされ、対応する前記サブフレーム７から６サブフレームだけ前方にオフセットされ、及び／又は５サブフレームだけ前方にオフセットされるサブフレームに対応する前記セカンダリサービングセルのサブフレームについてのＨＡＲＱ−ＡＣＫは、前記プライマリサービングセルの前記サブフレーム７においてフィードバックされ、対応する前記サブフレーム８から５サブフレームだけ前方にオフセットされ、及び／又は４サブフレームだけ前方にオフセットされるサブフレームに対応する前記セカンダリサービングセルのサブフレームについてのＨＡＲＱ−ＡＣＫは、前記プライマリサービングセルの前記サブフレーム８においてフィードバックされ、対応する前記サブフレーム９から４サブフレームだけ前方にオフセットされるサブフレームに対応する前記セカンダリサービングセルのサブフレームについてのＨＡＲＱ−ＡＣＫは、前記プライマリサービングセルの前記サブフレーム９においてフィードバックされること、
前記プライマリサービングセルの前記アップリンク−ダウンリンク構成が前記アップリンク−ダウンリンク構成１であるとき、前記プライマリサービングセルのアップリンクサブフレームは、サブフレーム２、サブフレーム３、サブフレーム７、及びサブフレーム８を含み、対応する前記サブフレーム２から７サブフレームだけ前方にオフセットされ、及び／又は６サブフレームだけ前方にオフセットされるサブフレームに対応する前記セカンダリサービングセルのサブフレームについてのＨＡＲＱ−ＡＣＫは、前記プライマリサービングセルの前記サブフレーム２においてフィードバックされ、対応する前記サブフレーム３から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム７から７サブフレームだけ前方にオフセットされ、及び／又は６サブフレームだけ前方にオフセットされるサブフレームに対応する前記セカンダリサービングセルのサブフレームについてのＨＡＲＱ−ＡＣＫは、前記プライマリサービングセルの前記サブフレーム７においてフィードバックされ、対応する前記サブフレーム８から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること、
前記プライマリサービングセルの前記アップリンク−ダウンリンク構成が前記アップリンク−ダウンリンク構成２であるとき、前記プライマリサービングセルのアップリンクサブフレームは、サブフレーム２及びサブフレーム７を含み、対応する前記サブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされること、又は、
前記プライマリサービングセルの前記アップリンク−ダウンリンク構成が前記アップリンク−ダウンリンク構成６であるとき、前記プライマリサービングセルのアップリンクサブフレームは、サブフレーム２、サブフレーム３、サブフレーム４、サブフレーム７、及びサブフレーム８を含み、対応する前記サブフレーム２から８サブフレームだけ前方にオフセットされ、及び／又は７サブフレームだけ前方にオフセットされるサブフレームに対応する前記セカンダリサービングセルのサブフレームについてのＨＡＲＱ−ＡＣＫは、前記プライマリサービングセルの前記サブフレーム２においてフィードバックされ、対応する前記サブフレーム３から７サブフレームだけ前方にオフセットされ、及び／又は６サブフレームだけ前方にオフセットされるサブフレームに対応する前記セカンダリサービングセルのサブフレームについてのＨＡＲＱ−ＡＣＫは、前記プライマリサービングセルの前記サブフレーム３においてフィードバックされ、対応する前記サブフレーム４から６サブフレームだけ前方にオフセットされ、及び／又は５サブフレームだけ前方にオフセットされるサブフレームに対応する前記セカンダリサービングセルのサブフレームについてのＨＡＲＱ−ＡＣＫは、前記プライマリサービングセルの前記サブフレーム４においてフィードバックされ、対応する前記サブフレーム７から７サブフレームだけ前方にオフセットされるサブフレームに対応する前記セカンダリサービングセルのサブフレームについてのＨＡＲＱ−ＡＣＫは、前記プライマリサービングセルの前記サブフレーム７においてフィードバックされ、対応する前記サブフレーム８から７サブフレームだけ前方にオフセットされ、６サブフレームだけ前方にオフセットされ、及び５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること
を含む、デバイス。
【請求項２３】
時分割複信（ＴＤＤ）システムに適用される、応答情報を受信するための方法であって、前記方法は、
セカンダリサービングセルにおいて、物理ダウンリンク共有チャネル（ＰＤＳＣＨ）をユーザ機器（ＵＥ）に送信することを決定する段階と、
前記セカンダリサービングセルにおいて、前記ＰＤＳＣＨを前記ＵＥに送信する段階と、
前記セカンダリサービングセルに対応するハイブリッド自動再送要求（ＨＡＲＱ）時系列関係を決定する段階であって、前記ＨＡＲＱ時系列関係は、前記ＰＤＳＣＨとＨＡＲＱ肯定応答（ＨＡＲＱ−ＡＣＫ）情報との間のＨＡＲＱ時系列関係である、決定する段階と、
前記ＨＡＲＱ時系列関係に従いプライマリサービングセルにおいて、前記ＰＤＳＣＨに対応するＨＡＲＱ−ＡＣＫを受信する段階と
を備え、
前記プライマリサービングセルは、前記ＵＥのための基地局により構成されるＴＤＤプライマリサービングセルであり、前記セカンダリサービングセルは、前記ＵＥのための前記基地局により構成される少なくとも１つのＴＤＤセカンダリサービングセル内のセカンダリサービングセルであり、
前記ＨＡＲＱ時系列関係は、
前記プライマリサービングセルのアップリンク−ダウンリンク構成が、アップリンク−ダウンリンク構成０、アップリンク−ダウンリンク構成１、アップリンク−ダウンリンク構成２、又はアップリンク−ダウンリンク構成６のうちの何れか１つであり、
前記プライマリサービングセルの前記アップリンク−ダウンリンク構成が前記アップリンク−ダウンリンク構成０であるとき、前記プライマリサービングセルのアップリンクサブフレームは、サブフレーム２、サブフレーム３、サブフレーム４、サブフレーム７、サブフレーム８、及びサブフレーム９を含み、対応する前記サブフレーム２から５サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３にから４サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム４から４サブフレームだけ前方にオフセットされるサブフレームに対応する前記セカンダリサービングセルのサブフレームについてのＨＡＲＱ−ＡＣＫは、前記プライマリサービングセルの前記サブフレーム４においてフィードバックされ、対応する前記サブフレーム７から６サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされ、対応する前記サブフレーム８から５サブフレームだけ前方にオフセットされ、及び／又は４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされ、対応する前記サブフレーム９から４サブフレームだけ前方にオフセットされるサブフレームに対応する前記セカンダリサービングセルのサブフレームについてのＨＡＲＱ−ＡＣＫは、前記プライマリサービングセルの前記サブフレーム９においてフィードバックされること、
前記プライマリサービングセルの前記アップリンク−ダウンリンク構成が前記アップリンク−ダウンリンク構成１であるとき、前記プライマリサービングセルのアップリンクサブフレームは、サブフレーム２、サブフレーム３、サブフレーム７、及びサブフレーム８を含み、対応する前記サブフレーム２から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム７から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされ、対応する前記サブフレーム８から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること、
前記プライマリサービングセルの前記アップリンク−ダウンリンク構成が前記アップリンク−ダウンリンク構成２であるとき、前記プライマリサービングセルのアップリンクサブフレームは、サブフレーム２及びサブフレーム７を含み、対応する前記サブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされること、又は、
前記プライマリサービングセルの前記アップリンク−ダウンリンク構成が前記アップリンク−ダウンリンク構成６であるとき、前記プライマリサービングセルのアップリンクサブフレームは、サブフレーム２、サブフレーム３、サブフレーム４、サブフレーム７、及びサブフレーム８を含み、対応する前記サブフレーム２から８サブフレームだけ前方にオフセットされ、及び／又は７サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム４から６サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム４においてフィードバックされ、対応する前記サブフレーム７から７サブフレームだけ前方にオフセットされるサブフレームに対応する前記セカンダリサービングセルのサブフレームについてのＨＡＲＱ−ＡＣＫは、前記プライマリサービングセルの前記サブフレーム７においてフィードバックされ、対応する前記サブフレーム８から７サブフレームだけ前方にオフセットされ、６サブフレームだけ前方にオフセットされ、及び５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること
を含む、方法。
【請求項２４】
前記プライマリサービングセルの前記アップリンクサブフレームは、前記セカンダリサービングセルのアップリンクサブフレームではないアップリンクサブフレームを含む、請求項２３に記載の方法。
【請求項２５】
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム７、又は前記サブフレーム８においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム４又は前記サブフレーム９においてフィードバックされ得る前記セカンダリサービングセルの前記サブフレームについての前記ＨＡＲＱ−ＡＣＫに対応する前記セカンダリサービングセルの前記サブフレームの数は１であり、
前記プライマリサービングセルの前記アップリンク−ダウンリンク構成が前記アップリンク−ダウンリンク構成１であるとき、前記プライマリサービングセルの前記サブフレーム２又は前記サブフレーム７においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム３又は前記サブフレーム８においてフィードバックされ得る前記セカンダリサービングセルの前記サブフレームについての前記ＨＡＲＱ−ＡＣＫに対応する前記セカンダリサービングセルの前記サブフレームの数は３であり、
前記プライマリサービングセルの前記アップリンク−ダウンリンク構成が前記アップリンク−ダウンリンク構成２であるとき、前記プライマリサービングセルの前記サブフレーム２又は前記サブフレーム７においてフィードバックされ得る前記セカンダリサービングセルの前記サブフレームについての前記ＨＡＲＱ−ＡＣＫに対応する前記セカンダリサービングセルの前記サブフレームの数は５であり、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、又は前記サブフレーム４においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム７においてフィードバックされ得る前記セカンダリサービングセルの前記サブフレームについての前記ＨＡＲＱ−ＡＣＫに対応する前記セカンダリサービングセルの前記サブフレームの数は１であり、前記プライマリサービングセルの前記サブフレーム８においてフィードバックされ得る前記セカンダリサービングセルの前記サブフレームについての前記ＨＡＲＱ−ＡＣＫに対応する前記セカンダリサービングセルの前記サブフレームの数は３である、請求項２３又は２４に記載の方法。
【請求項２６】
前記ＵＥは全二重ＵＥであり、前記ＨＡＲＱ時系列関係に従いプライマリサービングセルにおいて、前記ＰＤＳＣＨに対応するＨＡＲＱ−ＡＣＫを前記受信する段階は、
前記ＰＤＳＣＨに対応する前記ＨＡＲＱ−ＡＣＫが受信されるサブフレームに従ってＭ値を決定する段階であって、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数が減算された後に取得される数値である、決定する段階と、
前記Ｍ値に従って、チャネル選択モードにおけるＨＡＲＱ−ＡＣＫフィードバックテーブルを決定する段階と、
前記ＨＡＲＱ−ＡＣＫフィードバックテーブルに従い前記プライマリサービングセルにおいて、前記ＰＤＳＣＨに対応する前記ＨＡＲＱ−ＡＣＫを受信する段階と
を含む、請求項２５に記載の方法。
【請求項２７】
前記ＵＥは全二重ＵＥであり、前記ＨＡＲＱ時系列関係に従いプライマリサービングセルにおいて、前記ＰＤＳＣＨに対応するＨＡＲＱ−ＡＣＫを前記受信する段階は、
前記ＰＤＳＣＨに対応する前記ＨＡＲＱ−ＡＣＫが受信されるサブフレームに従ってＭ値を決定する段階であって、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数が減算された後に取得される数値である、決定する段階と、
前記Ｍ値に従って、物理アップリンク制御チャネルフォーマット３のモードにおけるＨＡＲＱ−ＡＣＫコードブックサイズを決定する段階と、
前記ＨＡＲＱ−ＡＣＫコードブックサイズに従い前記プライマリサービングセルにおいて、前記ＰＤＳＣＨに対応する前記ＨＡＲＱ−ＡＣＫを受信する段階と
を含む、請求項２５に記載の方法。
【請求項２８】
前記ＵＥは半二重ＵＥであり、前記ＨＡＲＱ時系列関係に従いプライマリサービングセルにおいて、前記ＰＤＳＣＨに対応するＨＡＲＱ−ＡＣＫを前記受信する段階は、
前記ＰＤＳＣＨに対応する前記ＨＡＲＱ−ＡＣＫが受信されるサブフレームに従ってＭ値を決定する段階であって、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数と、前記セカンダリサービングセルの前記サブフレーム内のダウンリンクサブフレームの数とが減算された後に取得される数値であり、前記ダウンリンクサブフレームと同じ時間におけるサブフレームは、前記プライマリサービングセル内のアップリンクサブフレーム又はスペシャルサブフレームである、決定する段階と、
前記Ｍ値に従って、チャネル選択モードにおけるＨＡＲＱ−ＡＣＫフィードバックテーブルを決定する段階と、
前記ＨＡＲＱ−ＡＣＫフィードバックテーブルに従い前記プライマリサービングセルにおいて、前記ＰＤＳＣＨに対応する前記ＨＡＲＱ−ＡＣＫを受信する段階と
を含む、請求項２５に記載の方法。
【請求項２９】
前記ＵＥは半二重ＵＥであり、前記ＨＡＲＱ時系列関係に従いプライマリサービングセルにおいて、前記ＰＤＳＣＨに対応するＨＡＲＱ−ＡＣＫを前記受信する段階は、
前記ＰＤＳＣＨに対応する前記ＨＡＲＱ−ＡＣＫが受信されるサブフレームに従ってＭ値を決定する段階であって、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数と、前記セカンダリサービングセルの前記サブフレーム内のダウンリンクサブフレームの数とが減算された後に取得される数値であり、前記ダウンリンクサブフレームと同じ時間におけるサブフレームは、前記プライマリサービングセル内のアップリンクサブフレーム又はスペシャルサブフレームである、決定する段階と、
前記Ｍ値に従って、物理アップリンク制御チャネルフォーマット３のモードにおけるＨＡＲＱ−ＡＣＫコードブックサイズを決定する段階と、
前記ＨＡＲＱ−ＡＣＫコードブックサイズに従い前記プライマリサービングセルにおいて、前記ＰＤＳＣＨに対応する前記ＨＡＲＱ−ＡＣＫを受信する段階と
を含む、請求項２５に記載の方法。
【請求項３０】
前記セカンダリサービングセルにおいて、前記ＰＤＳＣＨを前記ＵＥに前記送信する段階の前に、前記方法は、さらに、
前記ＵＥにより報告される能力情報を受信する段階であって、前記能力情報は、前記ＵＥが前記ＨＡＲＱ時系列関係をサポートするか否かを示すべく用いられる、受信する段階と、
前記能力情報に従って、前記ＵＥが前記ＨＡＲＱ時系列関係をサポートすることを決定する段階と
を備える、請求項２５から２９の何れか一項に記載の方法。
【請求項３１】
前記プライマリサービングセルの前記アップリンク−ダウンリンク構成は、
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム４、前記サブフレーム７、前記サブフレーム８、又は前記サブフレーム９のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、
前記プライマリサービングセルの前記アップリンク−ダウンリンク構成が前記アップリンク−ダウンリンク構成１であるとき、前記プライマリサービングセルの前記サブフレーム２、前記サブフレーム３、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、
前記プライマリサービングセルの前記アップリンク−ダウンリンク構成が前記アップリンク−ダウンリンク構成２であるとき、前記プライマリサービングセルの前記サブフレーム２又は前記サブフレーム７のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、前記サブフレーム４、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件
のうちの少なくとも１つを満たす、請求項２３から３０の何れか一項に記載の方法。
【請求項３２】
前記セカンダリサービングセルのアップリンク−ダウンリンク構成がアップリンク−ダウンリンク構成５であるとき、
前記プライマリサービングセルの前記アップリンク−ダウンリンク構成は、
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム４、前記サブフレーム７、前記サブフレーム８、又は前記サブフレーム９のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、
前記プライマリサービングセルの前記アップリンク−ダウンリンク構成が前記アップリンク−ダウンリンク構成１であるとき、前記プライマリサービングセルの前記サブフレーム２、前記サブフレーム３、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、
前記プライマリサービングセルの前記アップリンク−ダウンリンク構成が前記アップリンク−ダウンリンク構成２であるとき、前記プライマリサービングセルの前記サブフレーム２又は前記サブフレーム７のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、前記サブフレーム４、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件
のうちの少なくとも１つを満たす、請求項２３から３０の何れか一項に記載の方法。
【請求項３３】
時分割複信（ＴＤＤ）システムに適用される、応答情報を受信するための方法であって、前記方法は、
セカンダリサービングセルにおいて、物理ダウンリンク共有チャネル（ＰＤＳＣＨ）を受信する段階と、
前記セカンダリサービングセルに対応するハイブリッド自動再送要求（ＨＡＲＱ）時系列関係を決定する段階であって、前記ＨＡＲＱ時系列関係は、前記ＰＤＳＣＨとＨＡＲＱ肯定応答（ＨＡＲＱ−ＡＣＫ）情報との間のＨＡＲＱ時系列関係である、決定する段階と、
前記ＨＡＲＱ時系列関係に従いプライマリサービングセルにおいて、前記ＰＤＳＣＨに対応するＨＡＲＱ−ＡＣＫを送信する段階と
を備え、
前記プライマリサービングセルは、ユーザ機器（ＵＥ）のための基地局により構成されるＴＤＤプライマリサービングセルであり、前記セカンダリサービングセルは、前記ＵＥのための前記基地局により構成される少なくとも１つのＴＤＤセカンダリサービングセル内のセカンダリサービングセルであり、
前記ＨＡＲＱ時系列関係は、
前記プライマリサービングセルのアップリンク−ダウンリンク構成が、アップリンク−ダウンリンク構成０、アップリンク−ダウンリンク構成１、アップリンク−ダウンリンク構成２、又はアップリンク−ダウンリンク構成６のうちの何れか１つであり、
前記プライマリサービングセルの前記アップリンク−ダウンリンク構成が前記アップリンク−ダウンリンク構成０であるとき、前記プライマリサービングセルのアップリンクサブフレームは、サブフレーム２、サブフレーム３、サブフレーム４、サブフレーム７、サブフレーム８、及びサブフレーム９を含み、対応する前記サブフレーム２から５サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から４サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム４から４サブフレームだけ前方にオフセットされるサブフレームに対応する前記セカンダリサービングセルのサブフレームについてのＨＡＲＱ−ＡＣＫは、前記プライマリサービングセルの前記サブフレーム４においてフィードバックされ、対応する前記サブフレーム７から６サブフレームだけ前方にオフセットされ、及び／又は５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされ、対応する前記サブフレーム８から５サブフレームだけ前方にオフセットされ、及び／又は４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされ、対応する前記サブフレーム９から４サブフレームだけ前方にオフセットされるサブフレームに対応する前記セカンダリサービングセルのサブフレームについてのＨＡＲＱ−ＡＣＫは、前記プライマリサービングセルの前記サブフレーム９においてフィードバックされること、
前記プライマリサービングセルの前記アップリンク−ダウンリンク構成が前記アップリンク−ダウンリンク構成１であるとき、前記プライマリサービングセルのアップリンクサブフレームは、サブフレーム２、サブフレーム３、サブフレーム７、及びサブフレーム８を含み、対応する前記サブフレーム２から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム７から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされ、対応する前記サブフレーム８から６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること、
前記プライマリサービングセルの前記アップリンク−ダウンリンク構成が前記アップリンク−ダウンリンク構成２であるとき、前記プライマリサービングセルのアップリンクサブフレームは、サブフレーム２及びサブフレーム７を含み、対応する前記サブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム７においてフィードバックされること、又は、
前記プライマリサービングセルの前記アップリンク−ダウンリンク構成が前記アップリンク−ダウンリンク構成６であるとき、前記プライマリサービングセルのアップリンクサブフレームは、サブフレーム２、サブフレーム３、サブフレーム４、サブフレーム７、及びサブフレーム８を含み、対応する前記サブフレーム２から８サブフレームだけ前方にオフセットされ、及び／又は７サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム２においてフィードバックされ、対応する前記サブフレーム３から７サブフレームだけ前方にオフセットされ、及び／又は６サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム３においてフィードバックされ、対応する前記サブフレーム４から６サブフレームだけ前方にオフセットされ、及び５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム４においてフィードバックされ、対応する前記サブフレーム７から７サブフレームだけ前方にオフセットされるサブフレームに対応する前記セカンダリサービングセルのサブフレームについてのＨＡＲＱ−ＡＣＫは、前記プライマリサービングセルの前記サブフレーム７においてフィードバックされ、対応する前記サブフレーム８から７サブフレームだけ前方にオフセットされ、６サブフレームだけ前方にオフセットされ、及び５サブフレームだけ前方にオフセットされるサブフレームに対応する前記セカンダリサービングセルの少なくとも１つのサブフレームについてのＨＡＲＱ−ＡＣＫは、前記プライマリサービングセルの前記サブフレーム８においてフィードバックされること
含む、方法。
【請求項３４】
前記プライマリサービングセルの前記アップリンクサブフレームは、前記セカンダリサービングセルのアップリンクサブフレームではないアップリンクサブフレームを含む、請求項３３に記載の方法。
【請求項３５】
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム７、又は前記サブフレーム８においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム４又は前記サブフレーム９においてフィードバックされ得る前記セカンダリサービングセルの前記サブフレームについての前記ＨＡＲＱ−ＡＣＫに対応する前記セカンダリサービングセルの前記サブフレームの数は１であり、
前記プライマリサービングセルの前記アップリンク−ダウンリンク構成が前記アップリンク−ダウンリンク構成１であるとき、前記プライマリサービングセルの前記サブフレーム２又は前記サブフレーム７においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム３又は前記サブフレーム８においてフィードバックされ得る前記セカンダリサービングセルの前記サブフレームについての前記ＨＡＲＱ−ＡＣＫに対応する前記セカンダリサービングセルの前記サブフレームの数は３であり、
前記プライマリサービングセルの前記アップリンク−ダウンリンク構成が前記アップリンク−ダウンリンク構成２であるとき、前記プライマリサービングセルの前記サブフレーム２又は前記サブフレーム７においてフィードバックされ得る前記セカンダリサービングセルの前記サブフレームについての前記ＨＡＲＱ−ＡＣＫに対応する前記セカンダリサービングセルの前記サブフレームの数は５であり、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、又は前記サブフレーム４においてフィードバックされ得る前記セカンダリサービングセルの前記サブフレームについての前記ＨＡＲＱ−ＡＣＫに対応する前記セカンダリサービングセルの前記サブフレームの数は２であり、前記プライマリサービングセルの前記サブフレーム７においてフィードバックされ得る前記セカンダリサービングセルの前記サブフレームについての前記ＨＡＲＱ−ＡＣＫに対応する前記セカンダリサービングセルの前記サブフレームの数は１であり、前記プライマリサービングセルの前記サブフレーム８においてフィードバックされ得る前記セカンダリサービングセルの前記サブフレームについての前記ＨＡＲＱ−ＡＣＫに対応する前記セカンダリサービングセルの前記サブフレームの数は３である、請求項３３又は３４に記載の方法。
【請求項３６】
前記ＵＥは全二重ＵＥであり、前記ＨＡＲＱ時系列関係に従いプライマリサービングセルにおいて、前記ＰＤＳＣＨに対応するＨＡＲＱ−ＡＣＫを前記送信する段階は、
前記ＰＤＳＣＨに対応する前記ＨＡＲＱ−ＡＣＫが送信されるサブフレームに従ってＭ値を決定する段階であって、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数が減算された後に取得される数値である、決定する段階と、
前記Ｍ値に従って、チャネル選択モードにおけるＨＡＲＱ−ＡＣＫフィードバックテーブルを決定する段階と、
前記ＨＡＲＱ−ＡＣＫフィードバックテーブルに従い前記プライマリサービングセルにおいて、前記ＰＤＳＣＨに対応する前記ＨＡＲＱ−ＡＣＫを送信する段階と
を含む、請求項３５に記載の方法。
【請求項３７】
前記ＵＥは全二重ＵＥであり、前記ＨＡＲＱ時系列関係に従いプライマリサービングセルにおいて、前記ＰＤＳＣＨに対応するＨＡＲＱ−ＡＣＫを前記送信する段階は、
前記ＰＤＳＣＨに対応する前記ＨＡＲＱ−ＡＣＫが送信されるサブフレームに従ってＭ値を決定する段階であって、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数が減算された後に取得される数値であり、
前記Ｍ値に従って物理アップリンク制御チャネルフォーマット３のモードにおけるＨＡＲＱ−ＡＣＫコードブックサイズを決定する段階と、
前記ＨＡＲＱ−ＡＣＫコードブックサイズに従い前記プライマリサービングセルにおいて、前記ＰＤＳＣＨに対応する前記ＨＡＲＱ−ＡＣＫを送信する段階と
を含む、請求項３５に記載の方法。
【請求項３８】
前記ＵＥは半二重ＵＥであり、前記ＨＡＲＱ時系列関係に従いプライマリサービングセルにおいて、前記ＰＤＳＣＨに対応するＨＡＲＱ−ＡＣＫを前記送信する段階は、
前記ＰＤＳＣＨに対応する前記ＨＡＲＱ−ＡＣＫが送信されるサブフレームに従ってＭ値を決定する段階であって、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数と、前記セカンダリサービングセルの前記サブフレーム内のダウンリンクサブフレームの数とが減算された後に取得される数値であり、前記ダウンリンクサブフレームと同じ時間におけるサブフレームは、前記プライマリサービングセル内のアップリンクサブフレーム又はスペシャルサブフレームである、決定する段階と、
前記Ｍ値に従って、チャネル選択モードにおけるＨＡＲＱ−ＡＣＫフィードバックテーブルを決定する段階と、
前記ＨＡＲＱ−ＡＣＫフィードバックテーブルに従い前記プライマリサービングセルにおいて、前記ＰＤＳＣＨに対応する前記ＨＡＲＱ−ＡＣＫを送信する段階と
を含む、請求項３５に記載の方法。
【請求項３９】
前記ＵＥは半二重ＵＥであり、前記ＨＡＲＱ時系列関係に従いプライマリサービングセルにおいて、前記ＰＤＳＣＨに対応するＨＡＲＱ−ＡＣＫを前記送信する段階は、
前記ＰＤＳＣＨに対応する前記ＨＡＲＱ−ＡＣＫが送信されるサブフレームに従ってＭ値を決定する段階であって、前記Ｍ値は、前記プライマリサービングセルの前記サブフレームにおいてフィードバックされ得る前記セカンダリサービングセルの前記サブフレームについての前記ＨＡＲＱ−ＡＣＫに対応する前記セカンダリサービングセルの前記サブフレームの前記数から、前記セカンダリサービングセルの前記サブフレーム内のアップリンクサブフレームの数と、前記セカンダリサービングセルの前記サブフレーム内のダウンリンクサブフレームの数とが減算された後に取得される数値であり、前記ダウンリンクサブフレームと同じ時間におけるサブフレームは、前記プライマリサービングセル内のアップリンクサブフレーム又はスペシャルサブフレームである、決定する段階と、
前記Ｍ値に従って、物理アップリンク制御チャネルフォーマット３のモードにおけるＨＡＲＱ−ＡＣＫコードブックサイズを決定する段階と、
前記ＨＡＲＱ−ＡＣＫコードブックサイズに従い前記プライマリサービングセルにおいて、前記ＰＤＳＣＨに対応する前記ＨＡＲＱ−ＡＣＫを送信する段階と
を備える、請求項３５に記載の方法。
【請求項４０】
セカンダリサービングセルにおいてＰＤＳＣＨを前記受信する段階の前に、前記方法は、さらに、
前記基地局に能力情報を報告する段階であって、前記能力情報は、前記ＵＥが前記ＨＡＲＱ時系列関係をサポートするか否かを示すべく用いられる、報告する段階と、
前記能力情報に従って、前記ＵＥが前記ＨＡＲＱ時系列関係をサポートすることを決定する段階と
を備える、請求項３５から３９の何れか一項に記載の方法。
【請求項４１】
前記プライマリサービングセルの前記アップリンク−ダウンリンク構成は、
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム４、前記サブフレーム７、前記サブフレーム８、又は前記サブフレーム９のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、
前記プライマリサービングセルの前記アップリンク−ダウンリンク構成が前記アップリンク−ダウンリンク構成１であるとき、前記プライマリサービングセルの前記サブフレーム２、前記サブフレーム３、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、
前記プライマリサービングセルの前記アップリンク−ダウンリンク構成が前記アップリンク−ダウンリンク構成２であるとき、前記プライマリサービングセルの前記サブフレーム２又は前記サブフレーム７のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、前記サブフレーム４、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、少なくとも１つが減算されるという条件
のうちの少なくとも１つを満たす、請求項３３から４０の何れか一項に記載の方法。
【請求項４２】
前記セカンダリサービングセルのアップリンク−ダウンリンク構成がアップリンク−ダウンリンク構成５であるとき、
前記プライマリサービングセルの前記アップリンク−ダウンリンク構成は、
前記プライマリサービングセルの前記アップリンク−ダウンリンク構成が前記アップリンク−ダウンリンク構成０であるとき、前記プライマリサービングセルの前記サブフレーム２、前記サブフレーム３、前記サブフレーム４、前記サブフレーム７、前記サブフレーム８、又は前記サブフレーム９のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、
前記プライマリサービングセルの前記アップリンク−ダウンリンク構成が前記アップリンク−ダウンリンク構成１であるとき、前記プライマリサービングセルの前記サブフレーム２、前記サブフレーム３、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、
前記プライマリサービングセルの前記アップリンク−ダウンリンク構成が前記アップリンク−ダウンリンク構成２であるとき、前記プライマリサービングセルの前記サブフレーム２又は前記サブフレーム７のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件、又は、
前記プライマリサービングセルの前記アップリンク−ダウンリンク構成が前記アップリンク−ダウンリンク構成６であるとき、前記プライマリサービングセルの前記サブフレーム２、前記サブフレーム３、前記サブフレーム４、前記サブフレーム７、又は前記サブフレーム８のうちの少なくとも１つにおいてフィードバックされる前記セカンダリサービングセルの前記サブフレームについての前記ＨＡＲＱ−ＡＣＫに対応する前記セカンダリサービングセルの前記サブフレームの数から、１つが減算されるという条件
のうちの少なくとも１つを満たす、請求項３３から４０の何れか一項に記載の方法。
【請求項４３】
コンピュータに、請求項２３から３２の何れか一項に記載の方法を実行させるためのプログラム。
【請求項４４】
コンピュータに、請求項３３から４２の何れか一項に記載の方法を実行させるためのプログラム。
【発明の詳細な説明】
【技術分野】
【０００１】
本発明の実施形態は、通信技術に関し、具体的には、応答情報を送信するための方法、装置、及びデバイスに関する。
【背景技術】
【０００２】
キャリアアグリゲーション（Carrier Aggregation、略してＣＡ）技術は、ロングタームエボリューション（Long Term Evolution、略してＬＴＥ）システム、すなわち、ＬＴＥ  ＴＤＤシステムにおいて、時分割複信（Time Division Duplex、略してＴＤＤ）標準によりサポートされる。複数のコンポーネントキャリア又はサービングセルは、１つのユーザ機器（User equipment、略してＵＥ）に同時に割り当てられ、高データレートでの送信をサポートし得る。
【０００３】
従来技術では、最大５つのキャリア又はサービングセルが１つのＵＥに対して構成され得る。しかしながら、キャリア又はサービングセルの構成がアップリンク−ダウンリンク構成５である場合、応答情報の送信が制限される。例えば、物理アップリンク制御チャネル（Physical Uplink Control Channel、略してＰＵＣＣＨ）フォーマット３の送信モードについて、この送信モードによりサポートされる応答情報内のビットの最大数は２０である。従来技術では、キャリアアグリゲーションシナリオにおいて、いくつかＴＤＤアップリンク‐ダウンリンク構成において１つのキャリアがあるとき、又は、当該キャリアがいくつかの基準アップリンク−ダウンリンク構成にあるとき、最大２つのキャリアがＵＥに対して構成され得る。加えて、いくつかのＴＤＤ参照構成において、セカンダリサービングセルの全てのダウンリンクサブフレームに対応する応答情報は、１又はいくつかのアップリンクサブフレームにおいてフィードバックされる。結果として、フィードバック遅延が増大され、フィードバック性能が劣化される。
【発明の概要】
【０００４】
本発明の実施形態は、応答情報を送信するための方法、装置、及びデバイスを提供し、これにより、ＬＴＥ  ＴＤＤシステムのいくつかのアップリンク−ダウンリンク構成において、ＵＥに対してより多くのキャリアを構成し、応答情報のフィードバック遅延を短縮し、フィードバック性能を改善する。
【０００５】
第１態様によれば、本発明の実施形態は、時分割複信ＴＤＤシステムに適用される、応答情報を送信するための装置を提供し、装置は、
セカンダリサービングセルにおいて、物理ダウンリンク共有チャネルＰＤＳＣＨをユーザ機器ＵＥに送信することを決定するように構成される決定モジュールと、
セカンダリサービングセルにおいて、決定モジュールにより決定されたＰＤＳＣＨをＵＥに送信するように構成される送信モジュールであって、決定モジュールは、セカンダリサービングセルに対応するハイブリッド自動再送要求ＨＡＲＱ時系列関係を決定するようにさらに構成され、ＨＡＲＱ時系列関係は、ＰＤＳＣＨとＨＡＲＱ肯定応答ＨＡＲＱ−ＡＣＫ情報との間のＨＡＲＱ時系列関係である、送信モジュールと、
決定モジュールにより決定されたＨＡＲＱ時系列関係に従いプライマリサービングセルにおいて、ＰＤＳＣＨに対応するＨＡＲＱ−ＡＣＫを受信するように構成される受信モジュールと
を含み、
プライマリサービングセルは、ＵＥのための基地局により構成されるＴＤＤプライマリサービングセルであり、セカンダリサービングセルは、ＵＥのための基地局により構成されるＮ個のＴＤＤセカンダリサービングセル内のセカンダリサービングセルであり、Ｎは、１より大きい又は等しい自然数である。
【０００６】
第１態様の第１の可能な実装態様では、ＨＡＲＱ時系列関係は、
プライマリサービングセルのアップリンク−ダウンリンク構成がアップリンク−ダウンリンク構成０、アップリンク−ダウンリンク構成１、アップリンク−ダウンリンク構成２、又はアップリンク−ダウンリンク構成６のうちの何れか１つであり、
プライマリサービングセルのアップリンク−ダウンリンク構成がアップリンク−ダウンリンク構成０であるとき、プライマリサービングセルのアップリンクサブフレームは、サブフレーム２、サブフレーム３、サブフレーム４、サブフレーム７、サブフレーム８、及びサブフレーム９を含み、対応するサブフレーム２から５サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から４サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から４サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から５サブフレームだけ前方にオフセットされ及び／又は４サブフレームだけ前方にオフセットされるサブフレームに対応するセカンダリサービングセルのサブフレームについてのＨＡＲＱ−ＡＣＫは、プライマリサービングセルのサブフレーム８においてフィードバックされ、対応するサブフレーム９から４サブフレームだけ前方にオフセットされるサブフレームに対応するセカンダリサービングセルのサブフレームについてのＨＡＲＱ−ＡＣＫは、プライマリサービングセルのサブフレーム９においてフィードバックされること、
プライマリサービングセルのアップリンク−ダウンリンク構成がアップリンク−ダウンリンク構成１であるとき、プライマリサービングセルのアップリンクサブフレームは、サブフレーム２、サブフレーム３、サブフレーム７、及びサブフレーム８を含み、対応するサブフレーム２から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム３においてフィードバックされ、対応するサブフレーム７から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされること、
プライマリサービングセルのアップリンク−ダウンリンク構成がアップリンク−ダウンリンク構成２であるとき、プライマリサービングセルのアップリンクサブフレームは、サブフレーム２及びサブフレーム７を含み、対応するサブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム２においてフィードバックされ、対応するサブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム７においてフィードバックされること、又は、
プライマリサービングセルのアップリンク−ダウンリンク構成がアップリンク−ダウンリンク構成６であるとき、プライマリサービングセルのアップリンクサブフレームは、サブフレーム２、サブフレーム３、サブフレーム４、サブフレーム７、及びサブフレーム８を含み、対応するサブフレーム２から８サブフレームだけ前方にオフセットされ及び／又は７サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から７サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から７サブフレームだけ前方にオフセットされ、６サブフレームだけ前方にオフセットされ、及び５サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされることを含む。
【０００７】
第１態様又は第１態様の第１の可能な実装態様に関して、第１態様の第２の可能な実装態様では、プライマリサービングセルのアップリンクサブフレームは、セカンダリサービングセルのアップリンクサブフレームではないアップリンクサブフレームを含む。
【０００８】
第１態様、又は、第１態様の第１又は第２の可能な実装態様に関して、第１態様の第３の可能な実装態様では、プライマリサービングセルのアップリンク−ダウンリンク構成がアップリンク−ダウンリンク構成０であるとき、プライマリサービングセルのサブフレーム２、サブフレーム３、サブフレーム７、又はサブフレーム８においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム４又はサブフレーム９においてフィードバックされ得るセカンダリサービングセルのサブフレームについてのＨＡＲＱ−ＡＣＫに対応するセカンダリサービングセルのサブフレームの数は１であり、
プライマリサービングセルのアップリンク−ダウンリンク構成がアップリンク−ダウンリンク構成１であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム３又はサブフレーム８においてフィードバックされ得るセカンダリサービングセルのサブフレームについてのＨＡＲＱ−ＡＣＫに対応するセカンダリサービングセルのサブフレームの数は３であり、
プライマリサービングセルのアップリンク−ダウンリンク構成がアップリンク−ダウンリンク構成２であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は５であり、又は、
プライマリサービングセルのアップリンク−ダウンリンク構成がアップリンク−ダウンリンク構成６であるとき、プライマリサービングセルのサブフレーム２、サブフレーム３、又はサブフレーム４においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム７においてフィードバックされ得るセカンダリサービングセルのサブフレームについてのＨＡＲＱ−ＡＣＫに対応するセカンダリサービングセルのサブフレームの数は１であり、プライマリサービングセルのサブフレーム８においてフィードバックされ得るセカンダリサービングセルのサブフレームについてのＨＡＲＱ−ＡＣＫに対応するセカンダリサービングセルのサブフレームの数は３である。
【０００９】
第１態様の第３の可能な実装態様に関して、第１態様の第４の可能な実装態様では、ＵＥは全二重ＵＥであり、受信モジュールは、具体的には、
ＰＤＳＣＨに対応するＨＡＲＱ−ＡＣＫが受信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値であり、
Ｍ値に従って、チャネル選択モードにおけるＨＡＲＱ−ＡＣＫフィードバックテーブルを決定し、
ＨＡＲＱ−ＡＣＫフィードバックテーブルに従いプライマリサービングセルにおいて、ＰＤＳＣＨに対応するＨＡＲＱ−ＡＣＫを受信する
ように構成される。
【００１０】
第１態様の第３の可能な実装態様に関して、第１態様の第５の可能な実装態様では、ＵＥは全二重ＵＥであり、受信モジュールは、具体的には、
ＰＤＳＣＨに対応するＨＡＲＱ−ＡＣＫが受信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値であり、
Ｍ値に従って、物理アップリンク制御チャネルフォーマット３のモードにおけるＨＡＲＱ−ＡＣＫコードブックサイズを決定し、
ＨＡＲＱ−ＡＣＫコードブックサイズに従いプライマリサービングセルにおいて、ＰＤＳＣＨに対応するＨＡＲＱ−ＡＣＫを受信する
ように構成される。
【００１１】
第１態様の第３の可能な実装態様に関して、第１態様の第６の可能な実装態様では、ＵＥは半二重ＵＥであり、受信モジュールは、具体的には、
ＰＤＳＣＨに対応するＨＡＲＱ−ＡＣＫが受信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された取得される数値であり、ダウンリンクサブフレームと同じ時間におけるサブフレームは、プライマリサービングセル内のアップリンクサブフレーム又はスペシャルサブフレームであり、
Ｍ値に従って、チャネル選択モードにおけるＨＡＲＱ−ＡＣＫフィードバックテーブルを決定し、
ＨＡＲＱ−ＡＣＫフィードバックテーブルに従いプライマリサービングセルにおいて、ＰＤＳＣＨに対応するＨＡＲＱ−ＡＣＫを受信する
ように構成される。
【００１２】
第１態様の第３の可能な実装態様に関して、第１態様の第７の可能な実装態様では、ＵＥは半二重ＵＥであり、受信モジュールは、具体的には、
ＰＤＳＣＨに対応するＨＡＲＱ−ＡＣＫが受信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数から減算された後に取得される数値であり、ダウンリンクサブフレームと同じ時間におけるサブフレームは、プライマリサービングセル内のアップリンクサブフレーム又はスペシャルサブフレームであり、
Ｍ値に従って、物理アップリンク制御チャネルフォーマット３のモードにおけるＨＡＲＱ−ＡＣＫコードブックサイズを決定し、
ＨＡＲＱ−ＡＣＫコードブックサイズに従いプライマリサービングセルにおいて、ＰＤＳＣＨに対応するＨＡＲＱ−ＡＣＫを受信する
ように構成される。
【００１３】
第１態様の第３から第７の可能な実装態様のうちの何れか１つに関して、第１態様の第８の可能な実装態様では、受信モジュールは、
送信モジュールが、セカンダリサービングセルにおいて、決定モジュールにより決定されたＰＤＳＣＨをＵＥに送信する前に、ＵＥにより報告される能力情報を受信するようにさらに構成され、能力情報は、ＵＥがＨＡＲＱ時系列関係をサポートするか否かを示すべく用いられ、
決定モジュールは、
能力情報に従って、ＵＥがＨＡＲＱ時系列関係をサポートすることを決定するようにさらに構成される。
【００１４】
第１態様の第１から第８の可能な実装態様のうちの何れか１つに関して、第１態様の第９の可能な実装態様では、プライマリサービングセルのアップリンク−ダウンリンク構成は、
プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、
プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、
プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、又は、
プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件のうちの少なくとも１つを満たす。
【００１５】
第１態様の第１から第８の可能な実装態様のうちの何れか１つに関して、第１態様の第１０の可能な実装態様では、セカンダリサービングセルのアップリンク−ダウンリンク構成がアップリンク−ダウンリンク構成５であるとき、
プライマリサービングセルのアップリンク−ダウンリンク構成は、
プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、
プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、
プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、又は、
プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件のうちの少なくとも１つを満たす。
【００１６】
第２態様によれば、本発明の実施形態は、時分割複信ＴＤＤシステムに適用される、応答情報を送信するための装置を提供し、装置は、
セカンダリサービングセルにおいて、物理ダウンリンク共有チャネルＰＤＳＣＨを受信するように構成される受信モジュールと、
セカンダリサービングセルに対応するハイブリッド自動再送要求ＨＡＲＱ時系列関係を決定するように構成される決定モジュールであって、ＨＡＲＱ時系列関係は、受信モジュールにより受信されるＰＤＳＣＨと、ＨＡＲＱ肯定応答ＨＡＲＱ−ＡＣＫ情報との間のＨＡＲＱ時系列関係である、決定モジュールと、
決定モジュールにより決定されたＨＡＲＱ時系列関係に従いプライマリサービングセルにおいて、ＰＤＳＣＨに対応するＨＡＲＱ−ＡＣＫを送信するように構成される送信モジュールと
を含み、
プライマリサービングセルは、ユーザ機器ＵＥのための基地局により構成されるＴＤＤプライマリサービングセルであり、セカンダリサービングセルは、ＵＥのための基地局により構成されるＮ個のＴＤＤセカンダリサービングセル内のセカンダリサービングセルであり、Ｎは、１より大きい又は等しい自然数である。
【００１７】
第２態様の第１の可能な実装態様では、ＨＡＲＱ時系列関係は、
プライマリサービングセルのアップリンク−ダウンリンク構成がアップリンク−ダウンリンク構成０、アップリンク−ダウンリンク構成１、アップリンク−ダウンリンク構成２、又はアップリンク−ダウンリンク構成６のうちの何れか１つであり、
プライマリサービングセルのアップリンク−ダウンリンク構成がアップリンク−ダウンリンク構成０であるとき、プライマリサービングセルのアップリンクサブフレームは、サブフレーム２、サブフレーム３、サブフレーム４、サブフレーム７、サブフレーム８、及びサブフレーム９を含み、対応するサブフレーム２から５サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から４サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から４サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から５サブフレームだけ前方にオフセットされ及び／又は４サブフレームだけ前方にオフセットされるサブフレームに対応するセカンダリサービングセルのサブフレームについてのＨＡＲＱ−ＡＣＫは、プライマリサービングセルのサブフレーム８においてフィードバックされ、対応するサブフレーム９から４サブフレームだけ前方にオフセットされるサブフレームに対応するセカンダリサービングセルのサブフレームについてのＨＡＲＱ−ＡＣＫは、プライマリサービングセルのサブフレーム９においてフィードバックされること、
プライマリサービングセルのアップリンク−ダウンリンク構成がアップリンク−ダウンリンク構成１であるとき、プライマリサービングセルのアップリンクサブフレームは、サブフレーム２、サブフレーム３、サブフレーム７、及びサブフレーム８を含み、対応するサブフレーム２から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム３においてフィードバックされ、対応するサブフレーム７から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされること、
プライマリサービングセルのアップリンク−ダウンリンク構成がアップリンク−ダウンリンク構成２であるとき、プライマリサービングセルのアップリンクサブフレームは、サブフレーム２及びサブフレーム７を含み、対応するサブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム２においてフィードバックされ、対応するサブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム７においてフィードバックされること、又は、
プライマリサービングセルのアップリンク−ダウンリンク構成がアップリンク−ダウンリンク構成６であるとき、プライマリサービングセルのアップリンクサブフレームは、サブフレーム２、サブフレーム３、サブフレーム４、サブフレーム７、及びサブフレーム８を含み、対応するサブフレーム２から８サブフレームだけ前方にオフセットされ及び／又は７サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から７サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から７サブフレームだけ前方にオフセットされ、６サブフレームだけ前方にオフセットされ、及び５サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされることを含む。
【００１８】
第２態様、又は、第２態様の第１の可能な実装態様に関して、第２態様の第２の可能な実装態様では、プライマリサービングセルのアップリンクサブフレームは、セカンダリサービングセルのアップリンクサブフレームではないアップリンクサブフレームを含む。
【００１９】
第２態様、又は、第２態様の第１又は第２の可能な実装態様に関して、第２態様の第３の可能な実装態様では、プライマリサービングセルのアップリンク−ダウンリンク構成がアップリンク−ダウンリンク構成０であるとき、プライマリサービングセルのサブフレーム２、サブフレーム３、サブフレーム７、又はサブフレーム８においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム４又はサブフレーム９においてフィードバックされ得るセカンダリサービングセルのサブフレームについてのＨＡＲＱ−ＡＣＫに対応するセカンダリサービングセルのサブフレームの数は１であり、
プライマリサービングセルのアップリンク−ダウンリンク構成がアップリンク−ダウンリンク構成１であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム３又はサブフレーム８においてフィードバックされ得るセカンダリサービングセルのサブフレームについてのＨＡＲＱ−ＡＣＫに対応するセカンダリサービングセルのサブフレームの数は３であり、
プライマリサービングセルのアップリンク−ダウンリンク構成がアップリンク−ダウンリンク構成２であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は５であり、又は、
プライマリサービングセルのアップリンク−ダウンリンク構成がアップリンク−ダウンリンク構成６であるとき、プライマリサービングセルのサブフレーム２、サブフレーム３、又はサブフレーム４においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム７においてフィードバックされ得るセカンダリサービングセルのサブフレームについてのＨＡＲＱ−ＡＣＫに対応するセカンダリサービングセルのサブフレームの数は１であり、プライマリサービングセルのサブフレーム８においてフィードバックされ得るセカンダリサービングセルのサブフレームについてのＨＡＲＱ−ＡＣＫに対応するセカンダリサービングセルのサブフレームの数は３である。
【００２０】
第２態様の第３の可能な実装態様に関して、第２態様の第４の可能な実装態様では、ＵＥは全二重ＵＥであり、送信モジュールは、具体的には、
ＰＤＳＣＨに対応するＨＡＲＱ−ＡＣＫが送信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値であり、
Ｍ値に従って、チャネル選択モードにおけるＨＡＲＱ−ＡＣＫフィードバックテーブルを決定し、
ＨＡＲＱ−ＡＣＫフィードバックテーブルに従いプライマリサービングセルにおいて、ＰＤＳＣＨに対応するＨＡＲＱ−ＡＣＫを送信する
ように構成される。
【００２１】
第２態様の第３の可能な実装態様に関して、第２態様の第５の可能な実装態様では、ＵＥは全二重ＵＥであり、送信モジュールは、具体的には、
ＰＤＳＣＨに対応するＨＡＲＱ−ＡＣＫが送信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値であり、
Ｍ値に従って、物理アップリンク制御チャネルフォーマット３のモードにおけるＨＡＲＱ−ＡＣＫコードブックサイズを決定し、
ＨＡＲＱ−ＡＣＫコードブックサイズに従いプライマリサービングセルにおいて、ＰＤＳＣＨに対応するＨＡＲＱ−ＡＣＫを送信するように構成される。
【００２２】
第２態様の第３の可能な実装態様に関して、第２態様の第６の可能な実装態様では、ＵＥは半二重ＵＥであり、送信モジュールは、具体的には、
ＰＤＳＣＨに対応するＨＡＲＱ−ＡＣＫが送信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームであり、
Ｍ値に従って、チャネル選択モードにおけるＨＡＲＱ−ＡＣＫフィードバックテーブルを決定し、
ＨＡＲＱ−ＡＣＫフィードバックテーブルに従いプライマリサービングセルにおいて、ＰＤＳＣＨに対応するＨＡＲＱ−ＡＣＫを送信するように構成される。
【００２３】
第２態様の第３の可能な実装態様に関して、第２態様の第７の可能な実装態様では、ＵＥは半二重ＵＥであり、送信モジュールは、具体的には、
ＰＤＳＣＨに対応するＨＡＲＱ−ＡＣＫが送信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームであり、
Ｍ値に従って、物理アップリンク制御チャネルフォーマット３のモードにおけるＨＡＲＱ−ＡＣＫコードブックサイズを決定し、
ＨＡＲＱ−ＡＣＫコードブックサイズに従いプライマリサービングセルにおいて、ＰＤＳＣＨに対応するＨＡＲＱ−ＡＣＫを送信するように構成される。
【００２４】
第２態様の第３から第７の可能な実装態様のうちの何れか１つに関して、第２態様の第８の可能な実装態様では、送信モジュールは、
受信モジュールがセカンダリサービングセルにおいてＰＤＳＣＨを受信する前に、能力情報を基地局に報告するようにさらに構成され、能力情報は、ＵＥがＨＡＲＱ時系列関係をサポートするか否かを示すべく用いられ、
決定モジュールは、
能力情報に従って、装置がＨＡＲＱ時系列関係をサポートすることを決定するようにさらに構成される。
【００２５】
第２態様の第１から第８の可能な実装態様のうちの何れか１つに関して、第２態様の第９の可能な実装態様では、プライマリサービングセルのアップリンク−ダウンリンク構成は、
プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、
プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、
プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、又は、
プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件のうちの少なくとも１つを満たす。
【００２６】
第２態様の第１から第８の可能な実装態様のうちの何れか１つに関して、第２態様の第１０の可能な実装態様では、セカンダリサービングセルのアップリンク−ダウンリンク構成がアップリンク−ダウンリンク構成５であるとき、
プライマリサービングセルのアップリンク−ダウンリンク構成は、
プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、
プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、
プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、又は、
プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件のうちの少なくとも１つを満たす。
【００２７】
第３態様によれば、本発明の実施形態は、時分割複信ＴＤＤシステムに適用される、応答情報を送信するためのデバイスを提供し、デバイスは、プロセッサと、送信機と、受信機を含み、
プロセッサは、セカンダリサービングセルにおいて、物理ダウンリンク共有チャネルＰＤＳＣＨをユーザ機器ＵＥに送信することを決定するように構成され、
送信機は、セカンダリサービングセルにおいて、プロセッサにより決定されたＰＤＳＣＨをＵＥに送信するように構成され、
プロセッサは、セカンダリサービングセルに対応するハイブリッド自動再送要求ＨＡＲＱ時系列関係を決定するようにさらに構成され、ＨＡＲＱ時系列関係は、ＰＤＳＣＨとＨＡＲＱ肯定応答ＨＡＲＱ−ＡＣＫ情報との間のＨＡＲＱ時系列関係であり、
受信機は、プロセッサにより決定されたＨＡＲＱ時系列関係に従いプライマリサービングセルにおいて、ＰＤＳＣＨに対応するＨＡＲＱ−ＡＣＫを受信するように構成され、プライマリサービングセルは、ＵＥのための基地局により構成されるＴＤＤプライマリサービングセルであり、セカンダリサービングセルは、ＵＥのための基地局により構成されるＮ個のＴＤＤセカンダリサービングセル内のセカンダリサービングセルであり、Ｎは、１より大きい又は等しい自然数である。
【００２８】
第４態様によれば、本発明の実施形態は、時分割複信ＴＤＤシステムに適用される、応答情報を送信するためのデバイスを提供し、デバイスは、プロセッサと、受信機と、送信機を含み、
受信機は、セカンダリサービングセルにおいて、物理ダウンリンク共有チャネルＰＤＳＣＨを受信するように構成され、
プロセッサは、セカンダリサービングセルに対応するハイブリッド自動再送要求ＨＡＲＱ時系列関係を決定するように構成され、ＨＡＲＱ時系列関係は、受信機により受信されるＰＤＳＣＨと、ＨＡＲＱ肯定応答ＨＡＲＱ−ＡＣＫ情報との間のＨＡＲＱ時系列関係であり、
送信機は、プロセッサにより決定されるＨＡＲＱ時系列関係に従いプライマリサービングセルにおいて、ＰＤＳＣＨに対応するＨＡＲＱ−ＡＣＫを送信するように構成され、
プライマリサービングセルは、ユーザ機器ＵＥのための基地局により構成されるＴＤＤプライマリサービングセルであり、セカンダリサービングセルは、ＵＥのための基地局により構成されるＮ個のＴＤＤセカンダリサービングセル内のセカンダリサービングセルであり、Ｎは、１より大きい又は等しい自然数である。
【００２９】
第５態様によれば、本発明の実施形態は、時分割複信ＴＤＤシステムに適用される、応答情報を送信するための方法を提供し、方法は、
セカンダリサービングセルにおいて、物理ダウンリンク共有チャネルＰＤＳＣＨをユーザ機器ＵＥに送信することを決定する段階と、
セカンダリサービングセルにおいて、ＰＤＳＣＨをＵＥに送信する段階と、
セカンダリサービングセルに対応するハイブリッド自動再送要求ＨＡＲＱ時系列関係を決定する段階であって、ＨＡＲＱ時系列関係は、ＰＤＳＣＨとＨＡＲＱ肯定応答ＨＡＲＱ−ＡＣＫ情報との間のＨＡＲＱ時系列関係である、決定する段階と、
ＨＡＲＱ時系列関係に従いプライマリサービングセルにおいて、ＰＤＳＣＨに対応するＨＡＲＱ−ＡＣＫを受信する段階と
を含み、
プライマリサービングセルは、ＵＥのための基地局により構成されるＴＤＤプライマリサービングセルであり、セカンダリサービングセルは、ＵＥのための基地局により構成されるＮ個のＴＤＤセカンダリサービングセル内のセカンダリサービングセルであり、Ｎは、１より大きい又は等しい自然数である。
【００３０】
第５態様の第１の可能な実装態様では、ＨＡＲＱ時系列関係は、
プライマリサービングセルのアップリンク−ダウンリンク構成がアップリンク−ダウンリンク構成０、アップリンク−ダウンリンク構成１、アップリンク−ダウンリンク構成２、又はアップリンク−ダウンリンク構成６のうちの何れか１つであり、
プライマリサービングセルのアップリンク−ダウンリンク構成がアップリンク−ダウンリンク構成０であるとき、プライマリサービングセルのアップリンクサブフレームは、サブフレーム２、サブフレーム３、サブフレーム４、サブフレーム７、サブフレーム８、及びサブフレーム９を含み、対応するサブフレーム２から５サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から４サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から４サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から５サブフレームだけ前方にオフセットされ及び／又は４サブフレームだけ前方にオフセットされるサブフレームに対応するセカンダリサービングセルのサブフレームについてのＨＡＲＱ−ＡＣＫは、プライマリサービングセルのサブフレーム８においてフィードバックされ、対応するサブフレーム９から４サブフレームだけ前方にオフセットされるサブフレームに対応するセカンダリサービングセルのサブフレームについてのＨＡＲＱ−ＡＣＫは、プライマリサービングセルのサブフレーム９においてフィードバックされること、
プライマリサービングセルのアップリンク−ダウンリンク構成がアップリンク−ダウンリンク構成１であるとき、プライマリサービングセルのアップリンクサブフレームは、サブフレーム２、サブフレーム３、サブフレーム７、及びサブフレーム８を含み、対応するサブフレーム２から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム３においてフィードバックされ、対応するサブフレーム７から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされること、
プライマリサービングセルのアップリンク−ダウンリンク構成がアップリンク−ダウンリンク構成２であるとき、プライマリサービングセルのアップリンクサブフレームは、サブフレーム２及びサブフレーム７を含み、対応するサブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム２においてフィードバックされ、対応するサブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム７においてフィードバックされること、又は、
プライマリサービングセルのアップリンク−ダウンリンク構成がアップリンク−ダウンリンク構成６であるとき、プライマリサービングセルのアップリンクサブフレームは、サブフレーム２、サブフレーム３、サブフレーム４、サブフレーム７、及びサブフレーム８を含み、対応するサブフレーム２から８サブフレームだけ前方にオフセットされ及び／又は７サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から７サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から７サブフレームだけ前方にオフセットされ、６サブフレームだけ前方にオフセットされ、及び５サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされることを含む。
【００３１】
第５態様、又は、第５態様の第１の可能な実装態様に関して、第５態様の第２の可能な実装態様では、プライマリサービングセルのアップリンクサブフレームは、セカンダリサービングセルのアップリンクサブフレームではないアップリンクサブフレームを含む。
【００３２】
第５態様、又は、第５態様の第１又は第２の可能な実装態様に関して、第５態様の第３の可能な実装態様では、プライマリサービングセルのアップリンク−ダウンリンク構成がアップリンク−ダウンリンク構成０であるとき、プライマリサービングセルのサブフレーム２、サブフレーム３、サブフレーム７、又はサブフレーム８においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム４又はサブフレーム９においてフィードバックされ得るセカンダリサービングセルのサブフレームについてのＨＡＲＱ−ＡＣＫに対応するセカンダリサービングセルのサブフレームの数は１であり、
プライマリサービングセルのアップリンク−ダウンリンク構成がアップリンク−ダウンリンク構成１であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム３又はサブフレーム８においてフィードバックされ得るセカンダリサービングセルのサブフレームについてのＨＡＲＱ−ＡＣＫに対応するセカンダリサービングセルのサブフレームの数は３であり、
プライマリサービングセルのアップリンク−ダウンリンク構成がアップリンク−ダウンリンク構成２であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は５であり、又は、
プライマリサービングセルのアップリンク−ダウンリンク構成がアップリンク−ダウンリンク構成６であるとき、プライマリサービングセルのサブフレーム２、サブフレーム３、又はサブフレーム４においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム７においてフィードバックされ得るセカンダリサービングセルのサブフレームについてのＨＡＲＱ−ＡＣＫに対応するセカンダリサービングセルのサブフレームの数は１であり、プライマリサービングセルのサブフレーム８においてフィードバックされ得るセカンダリサービングセルのサブフレームについてのＨＡＲＱ−ＡＣＫに対応するセカンダリサービングセルのサブフレームの数は３である。
【００３３】
第５態様の第３の可能な実装態様に関して、第５態様の第４の可能な実装態様では、ＵＥは全二重ＵＥであり、ＨＡＲＱ時系列関係に従いプライマリサービングセルにおいて、ＰＤＳＣＨに対応するＨＡＲＱ−ＡＣＫを受信する段階は、
ＰＤＳＣＨに対応するＨＡＲＱ−ＡＣＫが受信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値である、決定する段階と、
Ｍ値に従って、チャネル選択モードにおけるＨＡＲＱ−ＡＣＫフィードバックテーブルを決定する段階と、
ＨＡＲＱ−ＡＣＫフィードバックテーブルに従いプライマリサービングセルにおいて、ＰＤＳＣＨに対応するＨＡＲＱ−ＡＣＫを受信する段階とを含む。
【００３４】
第５態様の第３の可能な実装態様に関して、第５態様の第５の可能な実装態様では、ＵＥは全二重ＵＥであり、ＨＡＲＱ時系列関係に従いプライマリサービングセルにおいて、ＰＤＳＣＨに対応するＨＡＲＱ−ＡＣＫを受信する段階は、
ＰＤＳＣＨに対応するＨＡＲＱ−ＡＣＫが受信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値である、決定する段階と、
Ｍ値に従って、物理アップリンク制御チャネルフォーマット３のモードにおけるＨＡＲＱ−ＡＣＫコードブックサイズを決定する段階と、
ＨＡＲＱ−ＡＣＫコードブックサイズに従いプライマリサービングセルにおいて、ＰＤＳＣＨに対応するＨＡＲＱ−ＡＣＫを受信する段階とを含む。
【００３５】
第５態様の第３の可能な実装態様に関して、第５態様の第６の可能な実装態様では、ＵＥは半二重ＵＥであり、ＨＡＲＱ時系列関係に従いプライマリサービングセルにおいて、ＰＤＳＣＨに対応するＨＡＲＱ−ＡＣＫを受信する段階は、
ＰＤＳＣＨに対応するＨＡＲＱ−ＡＣＫが受信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームである、決定する段階と、
Ｍ値に従って、チャネル選択モードにおけるＨＡＲＱ−ＡＣＫフィードバックテーブルを決定する段階と、
ＨＡＲＱ−ＡＣＫフィードバックテーブルに従いプライマリサービングセルにおいて、ＰＤＳＣＨに対応するＨＡＲＱ−ＡＣＫを受信する段階とを含む。
【００３６】
第５態様の第３の可能な実装態様に関して、第５態様の第７の可能な実装態様では、ＵＥは半二重ＵＥであり、ＨＡＲＱ時系列関係に従いプライマリサービングセルにおいて、ＰＤＳＣＨに対応するＨＡＲＱ−ＡＣＫを受信する段階は、
ＰＤＳＣＨに対応するＨＡＲＱ−ＡＣＫが受信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームである、決定する段階と、
Ｍ値に従って、物理アップリンク制御チャネルフォーマット３のモードにおけるＨＡＲＱ−ＡＣＫコードブックサイズを決定する段階と、
ＨＡＲＱ−ＡＣＫコードブックサイズに従いプライマリサービングセルにおいて、ＰＤＳＣＨに対応するＨＡＲＱ−ＡＣＫを受信する段階とを含む。
【００３７】
第５態様の第３から第７の可能な実装態様のうちの何れか１つに関して、第５態様の第８の可能な実装態様では、セカンダリサービングセルにおいて、ＰＤＳＣＨをＵＥに送信する段階の前に、方法は、さらに、
ＵＥにより報告される能力情報を受信する段階であって、能力情報は、ＵＥがＨＡＲＱ時系列関係をサポートか否かを示すべく用いられる、受信する段階と、
能力情報に従って、ＵＥがＨＡＲＱ時系列関係をサポートすることを決定する段階とを含む。
【００３８】
第５態様の第１から第８の可能な実装態様のうちの何れか１つに関して、第５態様の第９の可能な実装態様では、プライマリサービングセルのアップリンク−ダウンリンク構成は、
プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、
プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、
プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、又は、
プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件のうちの少なくとも１つを満たす。
【００３９】
第５態様の第１から第８の可能な実装態様のうちの何れか１つに関して、第５態様の第１０の可能な実装態様では、セカンダリサービングセルのアップリンク−ダウンリンク構成がアップリンク−ダウンリンク構成５であるとき、
プライマリサービングセルのアップリンク−ダウンリンク構成は、
プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、
プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、
プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、又は、
プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件のうちの少なくとも１つを満たす。
【００４０】
第６態様によれば、本発明の実施形態は、時分割複信ＴＤＤシステムに適用される、応答情報を送信するための方法を提供し、方法は、
セカンダリサービングセルにおいて、物理ダウンリンク共有チャネルＰＤＳＣＨを受信する段階と、
セカンダリサービングセルに対応するハイブリッド自動再送要求ＨＡＲＱ時系列関係を決定する段階であって、ＨＡＲＱ時系列関係は、ＰＤＳＣＨとＨＡＲＱ肯定応答ＨＡＲＱ−ＡＣＫ情報との間のＨＡＲＱ時系列関係である、決定する段階と、
ＨＡＲＱ時系列関係に従いプライマリサービングセルにおいて、ＰＤＳＣＨに対応するＨＡＲＱ−ＡＣＫを送信する段階と
を含み、
プライマリサービングセルは、ユーザ機器ＵＥのための基地局により構成されるＴＤＤプライマリサービングセルであり、セカンダリサービングセルは、ＵＥのための基地局により構成されるＮ個のＴＤＤセカンダリサービングセル内のセカンダリサービングセルであり、Ｎは、１より大きい又は等しい自然数である。
【００４１】
第６態様の第１の可能な実装態様では、ＨＡＲＱ時系列関係は、
プライマリサービングセルのアップリンク−ダウンリンク構成がアップリンク−ダウンリンク構成０、アップリンク−ダウンリンク構成１、アップリンク−ダウンリンク構成２、又はアップリンク−ダウンリンク構成６のうちの何れか１つであり、
プライマリサービングセルのアップリンク−ダウンリンク構成がアップリンク−ダウンリンク構成０であるとき、プライマリサービングセルのアップリンクサブフレームは、サブフレーム２、サブフレーム３、サブフレーム４、サブフレーム７、サブフレーム８、及びサブフレーム９を含み、対応するサブフレーム２から５サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から４サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から４サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から５サブフレームだけ前方にオフセットされ及び／又は４サブフレームだけ前方にオフセットされるサブフレームに対応するセカンダリサービングセルのサブフレームについてのＨＡＲＱ−ＡＣＫは、プライマリサービングセルのサブフレーム８においてフィードバックされ、対応するサブフレーム９から４サブフレームだけ前方にオフセットされるサブフレームに対応するセカンダリサービングセルのサブフレームについてのＨＡＲＱ−ＡＣＫは、プライマリサービングセルのサブフレーム９においてフィードバックされること、
プライマリサービングセルのアップリンク−ダウンリンク構成がアップリンク−ダウンリンク構成１であるとき、プライマリサービングセルのアップリンクサブフレームは、サブフレーム２、サブフレーム３、サブフレーム７、及びサブフレーム８を含み、対応するサブフレーム２から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム３においてフィードバックされ、対応するサブフレーム７から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされること、
プライマリサービングセルのアップリンク−ダウンリンク構成がアップリンク−ダウンリンク構成２であるとき、プライマリサービングセルのアップリンクサブフレームは、サブフレーム２及びサブフレーム７を含み、対応するサブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム２においてフィードバックされ、対応するサブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム７においてフィードバックされること、又は、
プライマリサービングセルのアップリンク−ダウンリンク構成がアップリンク−ダウンリンク構成６であるとき、プライマリサービングセルのアップリンクサブフレームは、サブフレーム２、サブフレーム３、サブフレーム４、サブフレーム７、及びサブフレーム８を含み、対応するサブフレーム２から８サブフレームだけ前方にオフセットされ及び／又は７サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から７サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から７サブフレームだけ前方にオフセットされ、６サブフレームだけ前方にオフセットされ、及び５サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされることを含む。
【００４２】
第６態様、又は、第６態様の第１の可能な実装態様に関して、第６態様の第２の可能な実装態様では、プライマリサービングセルのアップリンクサブフレームは、セカンダリサービングセルのアップリンクサブフレームではないアップリンクサブフレームを含む。
【００４３】
第６態様、又は、第６態様の第１又は第２の可能な実装態様に関して、第６態様の第３の可能な実装態様では、プライマリサービングセルのアップリンク−ダウンリンク構成がアップリンク−ダウンリンク構成０であるとき、プライマリサービングセルのサブフレーム２、サブフレーム３、サブフレーム７、又はサブフレーム８においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム４又はサブフレーム９においてフィードバックされ得るセカンダリサービングセルのサブフレームについてのＨＡＲＱ−ＡＣＫに対応するセカンダリサービングセルのサブフレームの数は１であり、
プライマリサービングセルのアップリンク−ダウンリンク構成がアップリンク−ダウンリンク構成１であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム３又はサブフレーム８においてフィードバックされ得るセカンダリサービングセルのサブフレームについてのＨＡＲＱ−ＡＣＫに対応するセカンダリサービングセルのサブフレームの数は３であり、
プライマリサービングセルのアップリンク−ダウンリンク構成がアップリンク−ダウンリンク構成２であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は５であり、又は、
プライマリサービングセルのアップリンク−ダウンリンク構成がアップリンク−ダウンリンク構成６であるとき、プライマリサービングセルのサブフレーム２、サブフレーム３、又はサブフレーム４においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム７においてフィードバックされ得るセカンダリサービングセルのサブフレームについてのＨＡＲＱ−ＡＣＫに対応するセカンダリサービングセルのサブフレームの数は１であり、プライマリサービングセルのサブフレーム８においてフィードバックされ得るセカンダリサービングセルのサブフレームについてのＨＡＲＱ−ＡＣＫに対応するセカンダリサービングセルのサブフレームの数は３である。
【００４４】
第６態様の第３の可能な実装態様に関して、第６態様の第４の可能な実装態様では、ＵＥは全二重ＵＥであり、ＨＡＲＱ時系列関係に従いプライマリサービングセルにおいて、ＰＤＳＣＨに対応するＨＡＲＱ−ＡＣＫを送信する段階は、
ＰＤＳＣＨに対応するＨＡＲＱ−ＡＣＫが送信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値である、決定する段階と、
Ｍ値に従って、チャネル選択モードにおけるＨＡＲＱ−ＡＣＫフィードバックテーブルを決定する段階と、
ＨＡＲＱ−ＡＣＫフィードバックテーブルに従いプライマリサービングセルにおいて、ＰＤＳＣＨに対応するＨＡＲＱ−ＡＣＫを送信する段階とを含む。
【００４５】
第６態様の第３の可能な実装態様に関して、第６態様の第５の可能な実装態様では、ＵＥは全二重ＵＥであり、ＨＡＲＱ時系列関係に従いプライマリサービングセルにおいて、ＰＤＳＣＨに対応するＨＡＲＱ−ＡＣＫを送信する段階は、
ＰＤＳＣＨに対応するＨＡＲＱ−ＡＣＫが送信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値である、決定する段階と、
Ｍ値に従って、物理アップリンク制御チャネルフォーマット３のモードにおけるＨＡＲＱ−ＡＣＫコードブックサイズを決定する段階と、
ＨＡＲＱ−ＡＣＫコードブックサイズに従いプライマリサービングセルにおいて、ＰＤＳＣＨに対応するＨＡＲＱ−ＡＣＫを送信する段階とを含む。
【００４６】
第６態様の第３の可能な実装態様に関して、第６態様の第６の可能な実装態様では、ＵＥは半二重ＵＥであり、ＨＡＲＱ時系列関係に従いプライマリサービングセルにおいて、ＰＤＳＣＨに対応するＨＡＲＱ−ＡＣＫを送信する段階は、
ＰＤＳＣＨに対応するＨＡＲＱ−ＡＣＫが送信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームである、決定する段階と、
Ｍ値に従って、チャネル選択モードにおけるＨＡＲＱ−ＡＣＫフィードバックテーブル決定する段階と、
ＨＡＲＱ−ＡＣＫフィードバックテーブルに従いプライマリサービングセルにおいて、ＰＤＳＣＨに対応するＨＡＲＱ−ＡＣＫを送信する段階とを含む。
【００４７】
第６態様の第３の可能な実装態様に関して、第６態様の第７の可能な実装態様では、ＵＥは半二重ＵＥであり、ＨＡＲＱ時系列関係に従いプライマリサービングセルにおいて、ＰＤＳＣＨに対応するＨＡＲＱ−ＡＣＫを送信する段階は、
ＰＤＳＣＨに対応するＨＡＲＱ−ＡＣＫが送信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数が減算された後に取得される数値であり、ダウンリンクサブフレームと同じ時間におけるサブフレームは、プライマリサービングセル内のアップリンクサブフレーム又はスペシャルサブフレームである、決定する段階と、
Ｍ値に従って、物理アップリンク制御チャネルフォーマット３のモードにおけるＨＡＲＱ−ＡＣＫコードブックサイズを決定する段階と、
ＨＡＲＱ−ＡＣＫコードブックサイズに従いプライマリサービングセルにおいて、ＰＤＳＣＨに対応するＨＡＲＱ−ＡＣＫを送信する段階とを含む。
【００４８】
第６態様の第３から第７の可能な実装態様のうちの何れか１つに関して、第６態様の第８の可能な実装態様では、セカンダリサービングセルにおいて、ＰＤＳＣＨを受信する段階の前に、方法は、さらに、
能力情報を基地局に報告する段階であって、能力情報は、ＵＥがＨＡＲＱ時系列関係をサポートするか否かを示すべく用いられる、報告する段階と、
能力情報に従って、ＵＥがＨＡＲＱ時系列関係をサポートすることを決定する段階とを含む。
【００４９】
第６態様の第１から第８の可能な実装態様のうちの何れか１つに関して、第６態様の第９の可能な実装態様では、プライマリサービングセルのアップリンク−ダウンリンク構成は、
プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、
プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、
プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、又は、
プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件のうちの少なくとも１つを満たす。
【００５０】
第６態様の第１から第８の可能な実装態様のうちの何れか１つに関して、第６態様の第１０の可能な実装態様では、セカンダリサービングセルのアップリンク−ダウンリンク構成がアップリンク−ダウンリンク構成５であるとき、
プライマリサービングセルのアップリンク−ダウンリンク構成は、
プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、
プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、
プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、又は、
プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件のうちの少なくとも１つを満たす。
【００５１】
本発明の実施形態において、キャリアアグリゲーション内のＨＡＲＱ時系列関係は、プライマリサービングセルのアップリンク−ダウンリンク構成を前述のアップリンク−ダウンリンク構成のうちの何れか１つに制限すべく再規定され、これにより、マルチキャリアは、いくつかのＴＤＤアップリンク‐ダウンリンク構成における前述の制約条件を満たすキャリアアグリゲーション用に構成され得る。例えば、セカンダリサービングセルの構成がアップリンク−ダウンリンク構成５であるとき、ＰＵＣＣＨフォーマット３のモードは、アップリンク−ダウンリンク構成５において、２つより多いセカンダリサービングセルのＣＡをサポートしてよく、フィードバックされる必要があるＨＡＲＱ−ＡＣＫは、キャリアアグリゲーション内の前述したＨＡＲＱ時系列関係に従って、フィードバックのために複数の異なるアップリンクサブフレームに分散され得る。故に、フィードバック遅延が短縮され、フィードバック性能が改善される。
【図面の簡単な説明】
【００５２】
本発明の実施形態又は従来技術における技術的解決法をより明確に説明すべく、実施形態又は従来技術を説明するために必要とされる添付の図面を以下で簡潔に説明する。明らかに、以下の説明における添付の図面は本発明のいくつかの実施形態を示しているに過ぎず、当業者は、創造努力なしでこれら添付の図面から他の図面をさらに導き出し得る。
【００５３】
【図１】本発明に係る応答情報を送信するための装置の実施形態１についての概略構造図である。
【００５４】
【図２】本発明に係る応答情報を送信するための装置の実施形態２についての概略構造図である。
【００５５】
【図３】本発明に係る応答情報を送信するためのデバイスの実施形態１についての概略構造図である。
【００５６】
【図４】本発明に係る応答情報を送信するための方法の実施形態１についての概略フローチャートである。
【００５７】
【図５】本発明に係る応答情報を送信するための方法の実施形態２についての概略フローチャートである。
【発明を実施するための形態】
【００５８】
以下では、本発明の実施形態における添付の図面を参照して、本発明の実施形態における技術的解決法を明確かつ完全に説明する。明らかに、説明される実施形態は、本発明の実施形態のいくつかに過ぎず、全てではない。創造努力なしに本発明の実施形態に基づいて、当業者により得られる他の全ての実施形態は、本発明の保護範囲に含まれるものとする。
【００５９】
ＬＴＥ  ＴＤＤシステムでは、受信及び送信が１つのキャリアにおいて異なる時間に完了され、すなわち、アップリンク送信及びダウンリンク送信が時間内のサブフレーム粒度により区別される。ＬＴＥ  ＴＤＤシステムにおけるサブフレームは、ダウンリンクサブフレーム、アップリンクサブフレーム、及びスペシャルサブフレームを含む。スペシャルサブフレームは、ダウンリンクパイロットタイムスロット（Downlink Pilot Time Slot、略してＤｗＰＴＳ）、ガード期間（Guard Period、略してＧＰ）、及びアップリンクパイロットタイムスロット（Uplink Pilot Time Slot、略してＵｐＰＴＳ）を含む。ＧＰは、ダウンリンクからアップリンクへの切り替え時間及び伝搬遅延を補償するために主に用いられる。特に、ダウンリンクデータは、スペシャルサブフレームのＤｗＰＴにおいて送信されてよい。故に、スペシャルサブフレームは、処理するためにダウンリンクサブフレームとして考慮され得ることもある。例えば、ＤｗＰＴにおいて送信されるダウンリンクデータは、対応する応答情報フィードバックを要求する。応答情報の状態は、肯定応答（ACKnowledge、略してＡＣＫ）又は否定応答（NACKnowledge、略してＮＡＣＫ）を含む。
【００６０】
ＬＴＥ  ＴＤＤシステムは、７つの異なるアップリンク−ダウンリンク構成をサポートし得る。具体的な設定は、表１に示される。表１において、Ｄは、ダウンリンクサブフレームを表し、Ｓは、スペシャルサブフレームを表し、Ｕは、アップリンクサブフレームを表す。アップリンク−ダウンリンク構成０、１、２及び６のダウンリンク−アップリンクのスイッチポイント周期性は５ミリ秒（ｍｓ）であり、アップリンク−ダウンリンク構成３、４及び５のダウンリンク−アップリンクのスイッチポイント周期性は１０ｍｓである。
【表１】
0006460430.tif 000002
【００６１】
加えて、ＴＤＤ  ＣＡは、同一のアップリンク−ダウンリンク構成のＣＡ、例えば、２つのアップリンク−ダウンリンク構成１のＣＡと、異なるアップリンク−ダウンリンク構成のＣＡ、例えば、アップリンク−ダウンリンク構成１及び２のＣＡを含む。ＣＡは、プライマリサービングセル及び少なくとも１つのセカンダリサービングセルを含み、ＨＡＲＱ−ＡＣＫを搬送するＰＵＣＣＨは、プライマリサービングセルのみにおいて送信される。ＣＡにおけるＰＵＣＣＨの送信モードは、２つのモード、チャネル選択モード及びＰＵＣＣＨフォーマット３を含む。
【００６２】
同一のアップリンク−ダウンリンク構成のＣＡに対して、ハイブリッド自動再送要求の確認応答（Hybrid Automatic Repeat Request Acknowledgement、略してＨＡＲＱ−ＡＣＫ）情報の時系列関係は、シングルキャリアのＴＤＤ時系列関係と同一である。異なるアップリンク−ダウンリンク構成のＣＡに対して、プライマリサービングセルのＨＡＲＱ−ＡＣＫ時系列関係は、プライマリサービングセル自身のアップリンク−ダウンリンク構成のＨＡＲＱ−ＡＣＫ時系列関係と共にまとめられるが、セカンダリサービングセルのＨＡＲＱ−ＡＣＫ時系列関係は、基準アップリンク−ダウンリンク構成のＨＡＲＱ−ＡＣＫ時系列関係と共にまとめられる。基準アップリンク−ダウンリンク構成は、プライマリサービングセルのアップリンク−ダウンリンク構成であってよく、又は、セカンダリサービングセル自身のアップリンク−ダウンリンク構成であってよく、若しくは、プライマリサービングセル及びセカンダリサービングセルのアップリンク−ダウンリンク構成とは異なっていてよい。具体的な基準アップリンク−ダウンリンク構成は、表２に示されるように、プライマリ−セカンダリサービングセルのペアのアップリンク−ダウンリンク構成の組み合わせにより決定される。
【表２】
0006460430.tif 000003
【００６３】
本明細書において、例は、アップリンク−ダウンリンク構成５におけるＣＡのためのキャリアの最大数が２に制限されるという問題を説明すべく用いられる。ＣＡの組み合わせ（２、５）は、以下の説明における例として用いられる。
【表３】
0006460430.tif 000004
【００６４】
プライマリサービングセルがアップリンク−ダウンリンク構成２であり、セカンダリサービングセルがアップリンク−ダウンリンク構成５であることが仮定される。表３に示されるように、１つのセカンダリサービングセルのみが存在するとき、セカンダリサービングセルの基準アップリンク−ダウンリンク構成がセカンダリサービングセル自身のアップリンク−ダウンリンク構成５であることが、表２に従って決定されてよい。具体的なデータスケジューリング及びＨＡＲＱ−ＡＣＫフィードバックプロシージャは、物理ダウンリンク共有チャネル（Physical Downlink Shared Channel、略してＰＤＳＣＨ）がセカンダリサービングセルのサブフレーム８においてスケジューリングされ、ＰＤＳＣＨに対応するＨＡＲＱ−ＡＣＫが次の無線フレームのサブフレーム２においてフィードバックされる必要があることを仮定する。具体的なＨＡＲＱ時系列関係は、表３におけるアップリンクサブフレーム２に含まれる番号セット内の複数の番号のうちの数４から学習されてよい。すなわち、サブフレーム２がＨＡＲＱ−ＡＣＫフィードバックサブフレームであるとき、ＰＤＳＣＨを搬送し、かつ、サブフレームにおいてフィードバックされるＨＡＲＱ−ＡＣＫに対応するサブフレームは、ｎ−４、すなわち、前の無線フレームのサブフレーム８である。サブフレームにおいて、セカンダリサービングセルに対応する番号セット内の総数は９である。セカンダリサービングセル内の９つのダウンリンクサブフレーム全てにおいて送信されるＰＤＳＣＨに対応する全てのＨＡＲＱ−ＡＣＫは、アップリンクサブフレームにおいてフィードバックされる必要がある。総数は、Ｍ値として定義される。この場合、Ｍ値は９に等しい。
【００６５】
チャネル選択モードが最大Ｍ値４をサポートするので、チャネル選択モードはアップリンク−ダウンリンク構成５をサポートしておらず、ＰＵＣＣＨフォーマット３のモードはＣＡ内のＰＵＣＣＨの送信モードとして用いられる。しかしながら、ＰＵＣＣＨフォーマット３のモードにおいてサポートされる最大ＨＡＲＱ−ＡＣＫサイズは２０ビットである。プライマリサービングセルがアップリンク−ダウンリンク構成２である場合、２つのセカンダリサービングセルの両方がアップリンク−ダウンリンク構成５であるときに、サブフレーム２内の全てのセルのＭ値の合計は、４＋９＋９＝２２であり、当該合計は、２０より大きい。故に、ＰＵＣＣＨフォーマット３のモードは、アップリンク−ダウンリンク構成５において２つより多いセカンダリサービングセルのＣＡをサポートすることができない。加えて、セカンダリサービングセルがアップリンク−ダウンリンク構成５である場合、セカンダリサービングセルについてのＨＡＲＱ−ＡＣＫのフィードバック遅延は非常に長くなる、例えば、ｎ−１３の最長の時系列、すなわち、１３サブフレームの遅延である。さらに、Ｍ値が９なので、ＨＡＲＱ−ＡＣＫ性能が劣化される。特に、アップリンクサブフレーム２に含まれる番号セット内の番号の順序は限定されるものではない、すなわち、順序は、任意の順序であってよく、ＰＤＳＣＨサブフレームの対応する数とサブフレーム番号とが一致することが提供されてよい。これは、他のＴＤＤアップリンク−ダウンリンク構成及び他のＴＤＤアップリンク−ダウンリンク構成においてＨＡＲＱ−ＡＣＫをフィードバックするための他のアップリンクサブフレームに適用可能である、すなわち、ＰＤＳＣＨサブフレーム順序の問題が考慮されない。
【００６６】
将来において、ネットワーク配置の重要なシナリオは、プライマリサービングセルがマクロ基地局上にあり、ＴＤＤ構成が、フィードバック性能及びフィードバック遅延を保証すべく、より多くのアップリンクサブフレームを有するアップリンク−ダウンリンク構成、例えば、アップリンク−ダウンリンク構成１又は２であり、及び、セカンダリサービングセルがマイクロ基地局又はピコ基地局上にあり、ＴＤＤ構成が、高データレートでの送信を保証すべく、すなわち、マクロ基地局のダウンリンクサービスがマイクロ基地局にオフロードされる、より多くのダウンリンクサブフレームを有するアップリンク−ダウンリンク構成であること、例えば、アップリンク−ダウンリンク構成５が構成される。ＣＡの組み合わせ（０／１／２、５）が広く配置され、構成されることを考慮し、かつ、前述したキャリア数の制限、フィードバック遅延、及びフィードバック性能の問題を考慮すると、新たは解決法が克服するために必要とされ、これにより、より多くのキャリアがいくつかのＴＤＤアップリンク‐ダウンリンク構成において構成されることができ、フィードバック遅延が短縮され、フィードバック性能が改善される。
【００６７】
前述した問題に基づいて、本発明の実施形態は、応答情報を送信するための方法、装置、及びデバイスを提供する。方法、装置、及びデバイスは、ＬＴＥ  ＴＤＤシステムに適用され、基地局側及びＵＥ側のそれぞれで用いられてよい。具体的には、詳細な説明が以下に提供される。
【００６８】
図１は、本発明に係る応答情報を送信するための装置の実施形態１についての概略構造図である。本発明のこの実施形態は、ＴＤＤシステムに適用される、応答情報を送信するための装置を提供し、装置は、デバイス、例えば、基地局に統合されてよい。図１に示されるように、当該装置は、送信モジュール１１、決定モジュール１２、及び受信モジュール１３を含む。
【００６９】
決定モジュール１２は、セカンダリサービングセルにおいて、ＰＤＳＣＨをＵＥに送信することを決定するように構成される。送信モジュール１１は、セカンダリサービングセルにおいて、決定モジュール１２により決定されたＰＤＳＣＨをＵＥに送信するように構成される。決定モジュール１２は、セカンダリサービングセルに対応するＨＡＲＱ時系列関係を決定するようにさらに構成され、ＨＡＲＱ時系列関係は、ＰＤＳＣＨとＨＡＲＱ−ＡＣＫとの間のＨＡＲＱ時系列関係である。受信モジュール１３は、決定モジュール１２により決定されるＨＡＲＱ時系列関係に従いプライマリサービングセルにおいて、ＰＤＳＣＨに対応するＨＡＲＱ−ＡＣＫを受信するように構成される。この実施形態において、プライマリサービングセルは、ＵＥのための基地局により構成されるＴＤＤプライマリサービングセルであり、セカンダリサービングセルは、ＵＥのための基地局により構成されるＮ個のＴＤＤセカンダリサービングセル内のセカンダリサービングセルであり、Ｎは、１より大きい又は等しい自然数である。
【００７０】
本発明のこの実施形態の装置は、図４に示される方法の実施形態の技術的解決法を実行するように構成されてよい。これらの実装原則及び技術的効果は同様であり、ここに記載されない。
【００７１】
前述の実施形態において、ＨＡＲＱ時系列関係は、プライマリサービングセルのアップリンク−ダウンリンク構成がアップリンク−ダウンリンク構成０、アップリンク−ダウンリンク構成１、アップリンク−ダウンリンク構成２、又はアップリンク−ダウンリンク構成６のうちの何れか１つであることを含む。
【００７２】
プライマリサービングセルのアップリンク−ダウンリンク構成がアップリンク−ダウンリンク構成０であるとき、プライマリサービングセルのアップリンクサブフレームは、サブフレーム２、サブフレーム３、サブフレーム４、サブフレーム７、サブフレーム８、及びサブフレーム９を含み、対応するサブフレーム２から５サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から４サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から４サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から５サブフレームだけ前方にオフセットされ及び／又は４サブフレームだけ前方にオフセットされるサブフレームに対応するセカンダリサービングセルのサブフレームについてのＨＡＲＱ−ＡＣＫは、プライマリサービングセルのサブフレーム８においてフィードバックされ、対応するサブフレーム９から４サブフレームだけ前方にオフセットされるサブフレームに対応するセカンダリサービングセルのサブフレームについてのＨＡＲＱ−ＡＣＫは、プライマリサービングセルのサブフレーム９においてフィードバックされる。
【００７３】
プライマリサービングセルのアップリンク−ダウンリンク構成がアップリンク−ダウンリンク構成１であるとき、プライマリサービングセルのアップリンクサブフレームは、サブフレーム２、サブフレーム３、サブフレーム７、及びサブフレーム８を含み、対応するサブフレーム２から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム３においてフィードバックされ、対応するサブフレーム７から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされる。
【００７４】
プライマリサービングセルのアップリンク−ダウンリンク構成がアップリンク−ダウンリンク構成２であるとき、プライマリサービングセルのアップリンクサブフレームは、サブフレーム２及びサブフレーム７を含み、対応するサブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム２においてフィードバックされ、対応するサブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム７においてフィードバックされる。
【００７５】
プライマリサービングセルのアップリンク−ダウンリンク構成がアップリンク−ダウンリンク構成６であるとき、プライマリサービングセルのアップリンクサブフレームは、サブフレーム２、サブフレーム３、サブフレーム４、サブフレーム７、及びサブフレーム８を含み、対応するサブフレーム２から８サブフレームだけ前方にオフセットされ及び／又は７サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から７サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から７サブフレームだけ前方にオフセットされ、６サブフレームだけ前方にオフセットされ、及び５サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされる。
【００７６】
本発明のこの実施形態において、キャリアアグリゲーション内のＨＡＲＱ時系列関係は、プライマリサービングセルのアップリンク−ダウンリンク構成を前述のアップリンク−ダウンリンク構成のうちの何れか１つに制限すべく再規定され、これにより、マルチキャリアは、いくつかのＴＤＤアップリンク‐ダウンリンク構成における前述の制約条件を満たすキャリアアグリゲーション用に構成され得る。例えば、セカンダリサービングセルの構成がアップリンク−ダウンリンク構成５であるとき、ＰＵＣＣＨフォーマット３のモードは、アップリンク−ダウンリンク構成５において、２つより多いセカンダリサービングセルのＣＡをサポートしてよく、フィードバックされる必要があるＨＡＲＱ−ＡＣＫは、キャリアアグリゲーション内の前述したＨＡＲＱ時系列関係に従いフィードバックのために複数の異なるアップリンクサブフレームに分散され得る。故に、フィードバック遅延が短縮され、フィードバック性能が改善される。
【００７７】
プライマリサービングセルのアップリンクサブフレームがセカンダリサービングセルのアップリンクサブフレームではないアップリンクサブフレームを含むことに留意すべきである。
【００７８】
前述の実施形態に基づいて、プライマリサービングセルが異なるアップリンク−ダウンリンク構成を有するとき、プライマリサービングセルの異なるサブフレームにおいてフィードバックされ得るセカンダリサービングセルのサブフレームについてのＨＡＲＱ−ＡＣＫに対応するセカンダリサービングセルのサブフレームの数は異なる。プライマリサービングセルのアップリンク−ダウンリンク構成がアップリンク−ダウンリンク構成０であるとき、プライマリサービングセルのサブフレーム２、サブフレーム３、サブフレーム７、又はサブフレーム８においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム４又はサブフレーム９においてフィードバックされ得るセカンダリサービングセルのサブフレームについてのＨＡＲＱ−ＡＣＫに対応するセカンダリサービングセルのサブフレームの数は１であり、
プライマリサービングセルのアップリンク−ダウンリンク構成がアップリンク−ダウンリンク構成１であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム３又はサブフレーム８においてフィードバックされ得るセカンダリサービングセルのサブフレームについてのＨＡＲＱ−ＡＣＫに対応するセカンダリサービングセルのサブフレームの数は３であり、
プライマリサービングセルのアップリンク−ダウンリンク構成がアップリンク−ダウンリンク構成２であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は５であり、又は、
プライマリサービングセルのアップリンク−ダウンリンク構成がアップリンク−ダウンリンク構成６であるとき、プライマリサービングセルのサブフレーム２、サブフレーム３、又はサブフレーム４においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム７においてフィードバックされ得るセカンダリサービングセルのサブフレームについてのＨＡＲＱ−ＡＣＫに対応するセカンダリサービングセルのサブフレームの数は１であり、プライマリサービングセルのサブフレーム８においてフィードバックされ得るセカンダリサービングセルのサブフレームについてのＨＡＲＱ−ＡＣＫに対応するセカンダリサービングセルのサブフレームの数は３である場合が存在する。
【００７９】
前述した本発明の実施形態において、異なる送信モードに基づいて、ＵＥは全二重ＵＥであってよく、又は、半二重ＵＥであってよい。異なる送信モードにおけるＵＥに対し、受信モジュール１３の特定の機能が異なる。以下では、説明のための例を用いる。
【００８０】
実装態様において、ＵＥは全二重ＵＥであり、受信モジュール１３は、具体的には、ＰＤＳＣＨに対応するＨＡＲＱ−ＡＣＫが受信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値であり、Ｍ値に従って、チャネル選択モードにおけるＨＡＲＱ−ＡＣＫフィードバックテーブルを決定し、ＨＡＲＱ−ＡＣＫフィードバックテーブルに従いプライマリサービングセルにおいて、ＰＤＳＣＨに対応するＨＡＲＱ−ＡＣＫを受信するように構成されてよい。
【００８１】
別の実装態様において、ＵＥは全二重ＵＥであり、受信モジュール１３は、具体的には、ＰＤＳＣＨに対応するＨＡＲＱ−ＡＣＫが受信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値であり、Ｍ値に従って、物理アップリンク制御チャネルフォーマット３のモードにおけるＨＡＲＱ−ＡＣＫコードブックサイズを決定し、ＨＡＲＱ−ＡＣＫコードブックサイズに従いプライマリサービングセルにおいて、ＰＤＳＣＨに対応するＨＡＲＱ−ＡＣＫを受信するように構成されてよい。
【００８２】
さらに別の実装態様において、ＵＥは半二重ＵＥであり、受信モジュール１３は、具体的には、ＰＤＳＣＨに対応するＨＡＲＱ−ＡＣＫが受信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームであり、Ｍ値に従って、チャネル選択モードにおけるＨＡＲＱ−ＡＣＫフィードバックテーブルを決定し、ＨＡＲＱ−ＡＣＫフィードバックテーブルに従いプライマリサービングセルにおいて、ＰＤＳＣＨに対応するＨＡＲＱ−ＡＣＫを受信するように構成される。
【００８３】
さらに別の実装態様において、ＵＥは半二重ＵＥであり、受信モジュール１３は、具体的には、ＰＤＳＣＨに対応するＨＡＲＱ−ＡＣＫが受信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームであり、Ｍ値に従って、物理アップリンク制御チャネルフォーマット３のモードにおけるＨＡＲＱ−ＡＣＫコードブックサイズを決定し、ＨＡＲＱ−ＡＣＫコードブックサイズに従いプライマリサービングセルにおいて、ＰＤＳＣＨに対応するＨＡＲＱ−ＡＣＫを受信するように構成されてよい。
【００８４】
前述した実装態様の詳細な説明に対し、図４に示される方法の実施形態についての詳細な説明を参照する。詳細はここで説明されない。
【００８５】
さらに、受信モジュール１３は、送信モジュール１１が、セカンダリサービングセルにおいて、決定モジュール１２により決定されたＰＤＳＣＨをＵＥに送信する前に、ＵＥにより報告される能力情報を受信するようにさらに構成されてよく、能力情報は、ＵＥがＨＡＲＱ時系列関係をサポートするか否かを示すべく用いられる。この実施形態において、決定モジュール１２は、能力情報に従って、ＵＥがＨＡＲＱ時系列関係をサポートすることを決定するようにさらに構成されてよい。
【００８６】
前述の実施形態において、プライマリサービングセルのアップリンク−ダウンリンク構成は、以下の条件のうちの少なくとも１つを満たす。
【００８７】
シナリオにおいて、プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【００８８】
別のシナリオにおいて、プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについておＨＡＲＱ−ＡＣＫに対応するセカンダリサービングセルのサブフレームから、少なくとも１つが減算される。
【００８９】
さらに別のシナリオにおいて、プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【００９０】
さらに別のシナリオにおいて、プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【００９１】
任意で、セカンダリサービングセルのアップリンク−ダウンリンク構成がアップリンク−ダウンリンク構成５であるとき、プライマリサービングセルのアップリンク−ダウンリンク構成は、前述した異ななるシナリオのうちの少なくとも１つを満たす。
【００９２】
図２は、本発明に係る応答情報を送信するための装置の実施形態２についての概略構造図である。本発明のこの実施形態は、ＴＤＤシステムに適用される、応答情報を送信するための装置を提供し、装置は、デバイス、例えば、ユーザ機器に統合されてよい。図２に示されるように、装置は、受信モジュール２１、決定モジュール２２、及び送信モジュール２３を含む。
【００９３】
受信モジュール２１は、セカンダリサービングセルにおいて、ＰＤＳＣＨを受信するように構成される。決定モジュール２２は、セカンダリサービングセルに対応するＨＡＲＱ時系列関係を決定するように構成され、ＨＡＲＱ時系列関係は、受信モジュール２１により受信されるＰＤＳＣＨと、ＨＡＲＱ−ＡＣＫとの間のＨＡＲＱ時系列関係である。送信モジュール２３は、決定モジュールにより決定されたＨＡＲＱ時系列関係に従いプライマリサービングセルにおいて、ＰＤＳＣＨに対応するＨＡＲＱ−ＡＣＫを送信するように構成される。この実施形態において、プライマリサービングセルは、ユーザ機器ＵＥのための基地局により構成されるＴＤＤプライマリサービングセルであり、セカンダリサービングセルは、ＵＥのための基地局により構成されるＮ個のＴＤＤセカンダリサービングセル内のセカンダリサービングセルであり、Ｎは、１より大きい又は等しい自然数である。
【００９４】
本発明のこの実施形態は、図１に示される装置の実施形態に対応して配置される。対応した配置は、同一の情報に対し、例えば、ＰＤＳＣＨ又はＰＤＳＣＨに対応するＨＡＲＱ−ＡＣＫに対し、２つの装置は、一方が送信端として用いられ、他方が受信端として用いられるように配置されることを意味する。
【００９５】
本発明のこの実施形態の装置は、図５に示される方法の実施形態の技術的解決法を実行するように構成されてよい。これらの実装原則及び技術的効果は同様であり、ここに記載されない。
【００９６】
ＨＡＲＱ時系列関係は、プライマリサービングセルのアップリンク−ダウンリンク構成がアップリンク−ダウンリンク構成０、アップリンク−ダウンリンク構成１、アップリンク−ダウンリンク構成２、又はアップリンク−ダウンリンク構成６のうちの何れか１つであることを含んでよい。
【００９７】
具体的には、プライマリサービングセルのアップリンク−ダウンリンク構成がアップリンク−ダウンリンク構成０であるとき、プライマリサービングセルのアップリンクサブフレームは、サブフレーム２、サブフレーム３、サブフレーム４、サブフレーム７、サブフレーム８、及びサブフレーム９を含み、対応するサブフレーム２から５サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から４サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から４サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から５サブフレームだけ前方にオフセットされ及び／又は４サブフレームだけ前方にオフセットされるサブフレームに対応するセカンダリサービングセルのサブフレームについてのＨＡＲＱ−ＡＣＫは、プライマリサービングセルのサブフレーム８においてフィードバックされ、対応するサブフレーム９から４サブフレームだけ前方にオフセットされるサブフレームに対応するセカンダリサービングセルのサブフレームについてのＨＡＲＱ−ＡＣＫは、プライマリサービングセルのサブフレーム９においてフィードバックされる。
【００９８】
プライマリサービングセルのアップリンク−ダウンリンク構成がアップリンク−ダウンリンク構成１であるとき、プライマリサービングセルのアップリンクサブフレームは、サブフレーム２、サブフレーム３、サブフレーム７、及びサブフレーム８を含み、対応するサブフレーム２から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム３においてフィードバックされ、対応するサブフレーム７から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされる。
【００９９】
プライマリサービングセルのアップリンク−ダウンリンク構成がアップリンク−ダウンリンク構成２であるとき、プライマリサービングセルのアップリンクサブフレームは、サブフレーム２及びサブフレーム７を含み、対応するサブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム２においてフィードバックされ、対応するサブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム７においてフィードバックされる。
【０１００】
プライマリサービングセルのアップリンク−ダウンリンク構成がアップリンク−ダウンリンク構成６であるとき、プライマリサービングセルのアップリンクサブフレームは、サブフレーム２、サブフレーム３、サブフレーム４、サブフレーム７、及びサブフレーム８を含み、対応するサブフレーム２から８サブフレームだけ前方にオフセットされ及び／又は７サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から７サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から７サブフレームだけ前方にオフセットされ、６サブフレームだけ前方にオフセットされ、及び５サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされる。
【０１０１】
前述の実施形態において、プライマリサービングセルのアップリンクサブフレームは、セカンダリサービングセルのアップリンクサブフレームではないアップリンクサブフレームを含む。
【０１０２】
さらに、プライマリサービングセルのアップリンク−ダウンリンク構成がアップリンク−ダウンリンク構成０であるとき、プライマリサービングセルのサブフレーム２、サブフレーム３、サブフレーム７、又はサブフレーム８においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム４又はサブフレーム９においてフィードバックされ得るセカンダリサービングセルのサブフレームについてのＨＡＲＱ−ＡＣＫに対応するセカンダリサービングセルのサブフレームの数は１である。
【０１０３】
プライマリサービングセルのアップリンク−ダウンリンク構成がアップリンク−ダウンリンク構成１であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム３又はサブフレーム８においてフィードバックされ得るセカンダリサービングセルのサブフレームについてのＨＡＲＱ−ＡＣＫに対応するセカンダリサービングセルのサブフレームの数は３である。
【０１０４】
プライマリサービングセルのアップリンク−ダウンリンク構成がアップリンク−ダウンリンク構成２であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は５である。
【０１０５】
プライマリサービングセルのアップリンク−ダウンリンク構成がアップリンク−ダウンリンク構成６であるとき、プライマリサービングセルのサブフレーム２、サブフレーム３、又はサブフレーム４においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム７においてフィードバックされ得るセカンダリサービングセルのサブフレームについてのＨＡＲＱ−ＡＣＫに対応するセカンダリサービングセルのサブフレームの数は１であり、プライマリサービングセルのサブフレーム８においてフィードバックされ得るセカンダリサービングセルのサブフレームについてのＨＡＲＱ−ＡＣＫに対応するセカンダリサービングセルのサブフレームの数は３である。
【０１０６】
任意で、ＵＥは全二重ＵＥであり、送信モジュール２３は、具体的には、ＰＤＳＣＨに対応するＨＡＲＱ−ＡＣＫが送信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値であり、Ｍ値に従って、チャネル選択モードにおけるＨＡＲＱ−ＡＣＫフィードバックテーブルを決定し、ＨＡＲＱ−ＡＣＫフィードバックテーブルに従いプライマリサービングセルにおいて、ＰＤＳＣＨに対応するＨＡＲＱ−ＡＣＫを送信するように構成されてよい。
【０１０７】
任意で、ＵＥは全二重ＵＥであり、送信モジュール２３は、具体的には、ＰＤＳＣＨに対応するＨＡＲＱ−ＡＣＫが送信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値であり、Ｍ値に従って、物理アップリンク制御チャネルフォーマット３のモードにおけるＨＡＲＱ−ＡＣＫコードブックサイズを決定し、ＨＡＲＱ−ＡＣＫコードブックサイズに従いプライマリサービングセルにおいて、ＰＤＳＣＨに対応するＨＡＲＱ−ＡＣＫを送信するように構成されてよい。
【０１０８】
任意で、ＵＥは半二重ＵＥであり、送信モジュール２３は、具体的には、ＰＤＳＣＨに対応するＨＡＲＱ−ＡＣＫが送信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームであり、Ｍ値に従って、チャネル選択モードにおけるＨＡＲＱ−ＡＣＫフィードバックテーブルを決定し、ＨＡＲＱ−ＡＣＫフィードバックテーブルに従いプライマリサービングセルにおいて、ＰＤＳＣＨに対応するＨＡＲＱ−ＡＣＫを送信するように構成されてよい。
【０１０９】
任意で、ＵＥは半二重ＵＥであり、送信モジュール２３は、具体的には、ＰＤＳＣＨに対応するＨＡＲＱ−ＡＣＫが送信されるサブフレームに従ってＭ値を決定し、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームであり、Ｍ値に従って、物理アップリンク制御チャネルフォーマット３のモードにおけるＨＡＲＱ−ＡＣＫコードブックサイズを決定し、ＨＡＲＱ−ＡＣＫコードブックサイズに従いプライマリサービングセルにおいて、ＰＤＳＣＨに対応するＨＡＲＱ−ＡＣＫを送信するように構成されてよい。
【０１１０】
前述の実施形態に基づいて、送信モジュール２３は、受信モジュール２１が、セカンダリサービングセルにおいて、ＰＤＳＣＨを受信する前に、能力情報を基地局に報告するようにさらに構成され、能力情報は、ＵＥがＨＡＲＱ時系列関係をサポートするか否かを示すべく用いられる。決定モジュール２２は、能力情報に従って、装置がＨＡＲＱ時系列関係をサポートすることを決定するようにさらに構成されてよい。
【０１１１】
前述の実施形態において、プライマリサービングセルのアップリンク−ダウンリンク構成は以下の条件のうちの少なくとも１つを満たす。
【０１１２】
条件１、プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【０１１３】
条件２、プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【０１１４】
プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【０１１５】
条件３、プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【０１１６】
さらに、セカンダリサービングセルのアップリンク−ダウンリンク構成がアップリンク−ダウンリンク構成５であるとき、プライマリサービングセルのアップリンク−ダウンリンク構成は、条件１、条件２、又は条件３のうちの少なくとも１つを満たす。
【０１１７】
図３は、本発明に係る応答情報を送信するためのデバイスの実施形態１についての概略構造図である。デバイスは、ＴＤＤシステムに適用され、基地局のようなデバイスであってよい。図３に示されるように、デバイス３０は、送信機３１、プロセッサ３２、及び受信機３３を含む。
【０１１８】
プロセッサ３２は、セカンダリサービングセルにおいて、ＰＤＳＣＨをＵＥに送信することを決定するように構成される。送信機３１は、セカンダリサービングセルにおいて、プロセッサ３２により決定されたＰＤＳＣＨをＵＥに送信するように構成される。プロセッサ３２は、セカンダリサービングセルに対応するＨＡＲＱ時系列関係を決定するようにさらに構成され、ＨＡＲＱ時系列関係は、ＰＤＳＣＨとＨＡＲＱ肯定応答ＨＡＲＱ−ＡＣＫ情報との間のＨＡＲＱ時系列関係である。受信機３３は、プロセッサ３２により決定されたＨＡＲＱ時系列関係に従いプライマリサービングセルにおいて、ＰＤＳＣＨに対応するＨＡＲＱ−ＡＣＫを受信するように構成される。プライマリサービングセルは、ＵＥのための基地局により構成されるＴＤＤプライマリサービングセルであり、セカンダリサービングセルは、ＵＥのための基地局により構成されるＮ個のＴＤＤセカンダリサービングセル内のセカンダリサービングセルであり、Ｎは、１より大きい又は等しい自然数である。
【０１１９】
本発明のこの実施形態のデバイスは、図４に示される方法の実施形態の技術的解決法を実行するように構成されてよい。これらの実装原則及び技術的効果は同様であり、ここに記載されない。
【０１２０】
図３に示されるように、送信機３１、プロセッサ３２、及び受信機３３は、以下の機能のためにさらに用いられてよい。
【０１２１】
受信機３３は、セカンダリサービングセルにおいて、ＰＤＳＣＨを受信するように構成される。プロセッサ３２は、セカンダリサービングセルに対応するＨＡＲＱ時系列関係を決定するように構成され、ＨＡＲＱ時系列関係は、受信機３３により受信されるＰＤＳＣＨと、ＨＡＲＱ−ＡＣＫとの間のＨＡＲＱ時系列関係である。送信機３１は、プロセッサ３２により決定されたＨＡＲＱ時系列関係に従いプライマリサービングセルにおいて、ＰＤＳＣＨに対応するＨＡＲＱ−ＡＣＫを送信するように構成され、プライマリサービングセルは、ユーザ機器ＵＥのための基地局により構成されるＴＤＤプライマリサービングセルであり、セカンダリサービングセルは、ＵＥのための基地局により構成されるＮ個のＴＤＤセカンダリサービングセル内のセカンダリサービングセルであり、Ｎは、１より大きい又は等しい自然数である。
【０１２２】
本発明のこの実施形態のデバイスは、図５に示される方法の実施形態の技術的解決法を実行するように構成されてよい。これらの実装原則及び技術的効果は同様であり、ここに記載されない。
【０１２３】
図４は、本発明に係る応答情報を送信するための方法の実施形態１についての概略フローチャートである。本発明のこの実施形態は、応答情報を送信するための方法を提供する。方法は、ＬＴＥ  ＴＤＤシステムに適用され、応答情報を送信するための装置により実行されてよく、装置は、デバイス、例えば、基地局に統合されてよい。図４に示されるように、方法は、以下の段階を含む。
【０１２４】
Ｓ１０１．セカンダリサービングセルにおいて、ＰＤＳＣＨをＵＥに送信することを決定する。
【０１２５】
Ｓ１０２．セカンダリサービングセルにおいて、ＰＤＳＣＨをＵＥに送信し、セカンダリサービングセルは、ＵＥのための基地局により構成されるＮ個のＴＤＤセカンダリサービングセル内のセカンダリサービングセルであり、Ｎは、１より大きい又は等しい自然数である。
【０１２６】
Ｓ１０３．セカンダリサービングセルに対応するＨＡＲＱ時系列関係を決定し、ＨＡＲＱ時系列関係は、ＰＤＳＣＨとＨＡＲＱ−ＡＣＫとの間のＨＡＲＱ時系列関係である。
【０１２７】
Ｓ１０４．ＨＡＲＱ時系列関係に従いプライマリサービングセルにおいて、ＰＤＳＣＨに対応するＨＡＲＱ−ＡＣＫを受信し、プライマリサービングセルは、ＵＥのための基地局により構成されるＴＤＤプライマリサービングセルである。
【０１２８】
具体的には、ＵＥがネットワークにアクセスし、無線リソース制御（Radio Resource Control、略してＲＲＣ）接続を確立した後に、基地局は、ＵＥに対するサービングセルを追加又は削除してよく、例えば、ＵＥのトラフィック及び／又は電力消費能力等に従って、ＵＥに対するサービングセルを追加又は削除してよい。１つよりも多いサービングセルがＵＥのために構成されるとき、ＵＥは、１つのプライマリサービングセル及びＮ個のセカンダリサービングセルによりサービス提供され、Ｎは、４より少なく又は等しい。しかしながら、プライマリサービングセルがアップリンク−ダウンリンク構成２であり、かつ、セカンダリサービングセルがアップリンク−ダウンリンク構成５であるＣＡに対し、ＰＵＣＣＨフォーマット３のモードは、最大２つのサービングセル、すなわち、ｎ＝１をサポートする。具体的には、基地局は、ＲＲＣシグナリングを用いることにより、ＵＥに対するセカンダリサービングセルを追加又は削除してよく、又は、ハンドオーバ手順を実行することによりＵＥに対するプライマリサービングセルを置き換えてよい。本発明のこの実施形態は、ＴＤＤ  ＣＡを対象としたものであり、すなわち、ＵＥにサービス提供している全てのセルがＴＤＤサービングセルである。
【０１２９】
基地局がＵＥに対してＣＡを構成した後、基地局は、セカンダリサービングセルにおいて、ＰＤＳＣＨをＵＥに送信してよく、セカンダリサービングセルは、ＵＥのための基地局により構成されるＮ個のセカンダリサービングセルのうちの何れか１つである。基地局は、セカンダリサービングセルに対応するＨＡＲＱ時系列関係を決定し、ＨＡＲＱ時系列関係は、ＰＤＳＣＨとＨＡＲＱ−ＡＣＫとの間のＨＡＲＱ時系列関係である。２つのサービングセル上の制限についての前述した問題を解決すべく、ＨＡＲＱ時系列関係は、現在のメカニズムにおいて基準アップリンク−ダウンリンク構成５ではないが、新たなＨＡＲＱ時系列関係が導入される。さらに、ＰＤＳＣＨに対応するＨＡＲＱ−ＡＣＫは、プライマリサービングセルにおいて受信される。
【０１３０】
ＨＡＲＱ−ＡＣＫが、ＵＥにより送信される又は基地局により受信される前に、ＨＡＲＱ−ＡＣＫを搬送するＰＵＣＣＨチャネルリソースが決定される必要がある。例えば、ＨＡＲＱ−ＡＣＫを搬送するＰＵＣＣＨチャネルリソースはＲＲＣシグナリング構成に従って決定され、又は、ＨＡＲＱ−ＡＣＫを搬送するＰＵＣＣＨチャネルリソースは、物理ダウンリンク制御チャネルに暗示的に対応する別のリソースに従って決定される。さらに、ＰＵＣＣＨフォーマット３のモードにおけるＨＡＲＱ−ＡＣＫフィードバックサブフレームのＭ値が決定される必要があり、フィードバックサブフレーム内の全てのＨＡＲＱ−ＡＣＫビットの順序、及び、ビットの総数、すなわち、コードブックサイズがさらに決定される。 段階は、既存のメカニズム又は他のメカニズムであってよく、本明細書において限定されるものではない。加えて、段階の実施順序はまた限定されるものではない。
【０１３１】
本発明のこの実施形態において、キャリアアグリゲーション内のＨＡＲＱ時系列関係は、プライマリサービングセルのアップリンク−ダウンリンク構成を前述のアップリンク−ダウンリンク構成のうちの何れか１つに制限すべく再規定され、これにより、マルチキャリアは、いくつかのＴＤＤアップリンク‐ダウンリンク構成における前述の制約条件を満たすキャリアアグリゲーション用に構成され得る。例えば、セカンダリサービングセルの構成がアップリンク−ダウンリンク構成５であるとき、ＰＵＣＣＨフォーマット３のモードは、アップリンク−ダウンリンク構成５において、２つより多いセカンダリサービングセルのＣＡをサポートしてよく、フィードバックされる必要があるＨＡＲＱ−ＡＣＫは、キャリアアグリゲーション内の前述したＨＡＲＱ時系列関係に従ってフィードバックのために複数の異なるアップリンクサブフレーム分散され得る。故に、フィードバック遅延が短縮され、フィードバック性能が改善される。
【表４】
0006460430.tif 000005
【０１３２】
表４は、プライマリサービングセルが異なるアップリンク−ダウンリンク構成を用いるときにセカンダリサービングセルにそれぞれ対応するＨＡＲＱ時系列関係を示す。以下は、本発明のこの実施形態により提供されるＨＡＲＱ時系列関係を詳細に説明する。
【０１３３】
表４に示されるように、ＨＡＲＱ時系列関係は、プライマリサービングセルのアップリンク−ダウンリンク構成がアップリンク−ダウンリンク構成０、アップリンク−ダウンリンク構成１、アップリンク−ダウンリンク構成２、又はアップリンク−ダウンリンク構成６のうちの何れか１つであることを含む。
【０１３４】
具体的には、プライマリサービングセルのアップリンク−ダウンリンク構成がアップリンク−ダウンリンク構成０であるとき、プライマリサービングセルのアップリンクサブフレームは、サブフレーム２、サブフレーム３、サブフレーム４、サブフレーム７、サブフレーム８、及びサブフレーム９を含み、対応するサブフレーム２から５サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から４サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から４サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から５サブフレームだけ前方にオフセットされ及び／又は４サブフレームだけ前方にオフセットされるサブフレームに対応するセカンダリサービングセルのサブフレームについてのＨＡＲＱ−ＡＣＫは、プライマリサービングセルのサブフレーム８においてフィードバックされ、対応するサブフレーム９から４サブフレームだけ前方にオフセットされるサブフレームに対応するセカンダリサービングセルのサブフレームについてのＨＡＲＱ−ＡＣＫは、プライマリサービングセルのサブフレーム９においてフィードバックされ、
プライマリサービングセルのアップリンク−ダウンリンク構成がアップリンク−ダウンリンク構成１であるとき、プライマリサービングセルのアップリンクサブフレームは、サブフレーム２、サブフレーム３、サブフレーム７、及びサブフレーム８を含み、対応するサブフレーム２から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム３においてフィードバックされ、対応するサブフレーム７から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされ、
プライマリサービングセルのアップリンク−ダウンリンク構成がアップリンク−ダウンリンク構成２であるとき、プライマリサービングセルのアップリンクサブフレームは、サブフレーム２及びサブフレーム７を含み、対応するサブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム２においてフィードバックされ、対応するサブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム７においてフィードバックされ、又は、
プライマリサービングセルのアップリンク−ダウンリンク構成がアップリンク−ダウンリンク構成６であるとき、プライマリサービングセルのアップリンクサブフレームは、サブフレーム２、サブフレーム３、サブフレーム４、サブフレーム７、及びサブフレーム８を含み、対応するサブフレーム２から８サブフレームだけ前方にオフセットされ及び／又は７サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から７サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から７サブフレームだけ前方にオフセットされ、６サブフレームだけ前方にオフセットされ、及び５サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされる。
【０１３５】
本発明のこの実施形態の解決法は、プライマリサービングセルのＴＤＤアップリンク‐ダウンリンク構成が、表１に示される７つのアップリンク−ダウンリンク構成におけるいくつかの制限された構成、例えば、表４に示されるアップリンク−ダウンリンク構成０、アップリンク−ダウンリンク構成１、アップリンク−ダウンリンク構成２、又はアップリンク−ダウンリンク構成６のうちの何れか１つ、すなわち、ダウンリンク−アップリンクのスイッチポイント周期性が５サブフレームの長さであるアップリンク−ダウンリンク構成であることのみを考慮する。セカンダリサービングセルは、表１に示される７つのアップリンク−ダウンリンク構成のうちの何れか１つであってよく、本明細書において限定されるものではない。しかしながら、プライマリ−セカンダリセルの組み合わせは制限される。具体的には、本発明のこの実施形態は、組み合わせシナリオ上の制限を考慮する。プライマリサービングセルのアップリンクサブフレームは、セカンダリサービングセルのアップリンクサブフレームではないアップリンクサブフレームを含む、すなわち、プライマリサービングセルのアップリンクサブフレームは、セカンダリサービングセルのアップリンクサブフレームに含まれない。制限は、２つの事例に分類され得る。
【０１３６】
第１の事例は、プライマリサービングセルのアップリンクサブフレームがセカンダリサービングセルのアップリンクサブフレームを含むことである。例えば、プライマリ−セカンダリサービングセルの組み合わせは、（１、２）、（２、５）、（０、５）、（１、５）等である。
【０１３７】
第２の事例は、プライマリサービングセルのアップリンクサブフレームセット及びセカンダリサービングセルのアップリンクサブフレームセットは、互いに完全に含まれない。例えば、プライマリ−セカンダリサービングセルの組み合わせは、（２、４）、（２、３）等である。
【０１３８】
表１及び表４の両方を参照すると、例えば、プライマリサービングセルのアップリンク−ダウンリンク構成がアップリンク−ダウンリンク構成０であるとき、サブフレーム２、サブフレーム３、サブフレーム４、サブフレーム７、サブフレーム８、及びサブフレーム９は、全てアップリンクサブフレームであり、合計で６つのアップリンクサブフレームがあり、プライマリサービングセルのアップリンク−ダウンリンク構成がアップリンク−ダウンリンク構成１であるとき、サブフレーム２、サブフレーム３、サブフレーム７、及びサブフレーム８は、全てアップリンクサブフレームであり、合計で４つのアップリンクサブフレームがある。同様の事例が他のアップリンク−ダウンリンク構成に存在する故に、フィードバック性能及び遅延が保証される。
【０１３９】
本発明の任意の実施形態では、プライマリサービングセルのアップリンク−ダウンリンク構成がアップリンク−ダウンリンク構成０であるとき、プライマリサービングセルのサブフレーム２、サブフレーム３、サブフレーム７、又はサブフレーム８においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム４又はサブフレーム９においてフィードバックされ得るセカンダリサービングセルのサブフレームについてのＨＡＲＱ−ＡＣＫに対応するセカンダリサービングセルのサブフレームの数は１であり、プライマリサービングセルのアップリンク−ダウンリンク構成がアップリンク−ダウンリンク構成１であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム３又はサブフレーム８においてフィードバックされ得るセカンダリサービングセルのサブフレームについてのＨＡＲＱ−ＡＣＫに対応するセカンダリサービングセルのサブフレームの数は３であり、プライマリサービングセルのアップリンク−ダウンリンク構成がアップリンク−ダウンリンク構成２であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は５であり、又は、プライマリサービングセルのアップリンク−ダウンリンク構成がアップリンク−ダウンリンク構成６であるとき、プライマリサービングセルのサブフレーム２、サブフレーム３、又はサブフレーム４においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム７においてフィードバックされ得るセカンダリサービングセルのサブフレームについてのＨＡＲＱ−ＡＣＫに対応するセカンダリサービングセルのサブフレームの数は１であり、プライマリサービングセルのサブフレーム８においてフィードバックされ得るセカンダリサービングセルのサブフレームについてのＨＡＲＱ−ＡＣＫに対応するセカンダリサービングセルのサブフレームの数は３である。
【０１４０】
表４において、プライマリサービングセルのサブフレーム番号内のサブフレームは、セカンダリサービングセルのサブフレームについてのＨＡＲＱ−ＡＣＫをフィードバックすべく用いられるアップリンクサブフレームである。各アップリンクサブフレームに対応する列の各番号は、セカンダリサービングセルのダウンリンクサブフレームｎ−ｋ（ｋはＫに属する）におけるＰＤＳＣＨに対応するＨＡＲＱ−ＡＣＫが、現在のアップリンクサブフレームｎにおいてフィードバックされる必要があることを示す。例えば、アップリンク−ダウンリンク構成がアップリンク−ダウンリンク構成１であるプライマリサービングセルに対し、プライマリサービングセルのサブフレームｎ＝２内のＫ＝｛７、６｝は、アップリンクサブフレームｎ＝２が、セカンダリサービングセルの２つのダウンリンクサブフレームｎ−７及び／又はｎ−６においてＰＤＳＣＨに対応するＨＡＲＱ−ＡＣＫをフィードバックすべく用いられることを示す。具体的には、プライマリサービングセルの現在のサブフレームｎ＝２についてのサブフレーム時間を基準として用いることにより前方にカウントすると、サブフレームｎ−７は、７番目のサブフレームである、すなわち、前の無線フレームのサブフレーム５であり、同様に、ｎ−６は、サブフレーム６に対応する。
【０１４１】
本発明のこの実施形態において、キャリアアグリゲーション内のＨＡＲＱ時系列関係は、プライマリサービングセルのアップリンク−ダウンリンク構成を前述のアップリンク−ダウンリンク構成のうちの何れか１つに制限すべく再規定され、これにより、マルチキャリアは、いくつかのＴＤＤアップリンク‐ダウンリンク構成における前述の制約条件を満たすキャリアアグリゲーション用に構成され得る。例えば、セカンダリサービングセルの構成がアップリンク−ダウンリンク構成５であるとき、ＰＵＣＣＨフォーマット３のモードは、アップリンク−ダウンリンク構成５において、２つより多いセカンダリサービングセルのＣＡをサポートしてよく、フィードバックされる必要があるＨＡＲＱ−ＡＣＫは、キャリアアグリゲーション内の前述したＨＡＲＱ時系列関係に従ってフィードバックのために複数の異なるアップリンクサブフレーム分散され得る。故に、フィードバック遅延が短縮され、フィードバック性能が改善される。
【０１４２】
次に、プライマリ−セカンダリサービングセルの組み合わせが（２、５）であり、かつ、プライマリ−セカンダリサービングセルの組み合わせが（１、２）例が詳細な説明のためにそれぞれ用いられる。異なる送信モードに基づいて、ＵＥは、全二重ＵＥ及び半二重ＵＥを含む。
【０１４３】
１．プライマリ−セカンダリサービングセルの組み合わせが（２、５）であり、又は、プライマリサービングセルがアップリンク−ダウンリンク構成２であり、及び、複数のセカンダリサービングセルがアップリンク−ダウンリンク構成５であるシナリオについて。
【０１４４】
実際のアプリケーションシナリオにおいて、ＵＥは全二重ＵＥであり、すなわち、ＵＥは、２つのサービングセルにおける同時受信及び送信をサポートする。例えば、プライマリサービングセルがアップリンクサブフレームであり、かつ、セカンダリサービングセルがダウンリンクサブフレームであると仮定すると、全二重ＵＥは、同時に、プライマリサービングセルにおいて情報を送信し、セカンダリサービングセルにおいて情報を受信することができる。
【０１４５】
Ｓ１０４は、ＰＤＳＣＨに対応するＨＡＲＱ−ＡＣＫが受信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値である、決定する段階と、Ｍ値に従って、チャネル選択モードにおけるＨＡＲＱ−ＡＣＫフィードバックテーブルを決定する段階と、ＨＡＲＱ−ＡＣＫフィードバックテーブルに従いプライマリサービングセルにおいて、ＰＤＳＣＨに対応するＨＡＲＱ−ＡＣＫを受信する段階とを含んでよい。
【０１４６】
具体的には、表４に示されるように、アップリンク−ダウンリンク構成２におけるプライマリサービングセルのサブフレーム２及びサブフレーム７は、セカンダリサービングセルのサブフレームについてのＨＡＲＱ−ＡＣＫがフィードバックされるサブフレームである。ＵＥは、サブフレームのＭ値をそれぞれ決定する必要がある。サブフレームがサブフレーム２であると仮定すると、サブフレーム２は、セカンダリサービングセルのサブフレームについてのＨＡＲＱ−ＡＣＫに対応するセカンダリサービングセルのサブフレームに含まれる番号セット｛８、７、６、５、４｝内の合計５つのサブフレームをフィードバックできる。番号セットにおいて、フィードバックされ、かつ、アップリンク−ダウンリンク構成５においてセカンダリサービングセルのサブフレームに対応し得る全てのサブフレームは、ダウンリンクサブフレーム又はスペシャルサブフレームであり、具体的には、セカンダリサービングセルのサブフレーム４、５、６、７及び８である。故に、控除が必要とされない、すなわち、Ｍ値は５である。
【０１４７】
サブフレームがサブフレーム７であると仮定すると、同様に、サブフレーム７は、セカンダリサービングセルのサブフレームについてのＨＡＲＱ−ＡＣＫに対応するセカンダリサービングセルのサブフレームに含まれる番号セット｛８、７、６、５、４｝内の合計５つのサブフレームをフィードバックできる。番号セットにおいて、フィードバックされ、かつ、アップリンク−ダウンリンク構成５においてセカンダリサービングセルのアップリンクサブフレームに対応し得るサブフレームの数は１である。具体的には、アップリンクサブフレームは、番号セット｛８、７、６、５、４｝内の合計５つのサブフレームに対応する。番号セット内の番号５に対応するアップリンクサブフレームは、セカンダリサービングセルのアップリンクサブフレーム２であり、アップリンクサブフレーム７のＭ値は、５−１＝４である。本明細書において、番号セット内の番号の順序は限定されるものではないことに留意すべきである。
【０１４８】
Ｍ値が決定された後、基地局及びＵＥは、Ｍ値に従って、チャネル選択モードにおけるＨＡＲＱ−ＡＣＫフィードバックテーブルを決定してよく、さらに、ＨＡＲＱ−ＡＣＫフィードバックテーブルに従いプライマリサービングセルにおいて、ＰＤＳＣＨに対応するＨＡＲＱ−ＡＣＫを受信してよい。加えて、この例におけるＭ値は５に等しくてよいので、ＵＥが全二重ＵＥであるとき、プライマリ−セカンダリサービングセルの組み合わせ（２、５）のＰＵＣＣＨ送信モードは、チャネル選択モードをサポートしていないことに留意すべきである。
【０１４９】
前述したＨＡＲＱ−ＡＣＫフィードバックテーブルはプリセットされる。そこで、対応するテーブルがＭ値に従って選択され、例えば、Ｍは２、３又は４に等しい。Ｍが２に等しいとき、ＨＡＲＱ−ＡＣＫフィードバックテーブルは表５に示される。Ｍが３に等しいとき、ＨＡＲＱ−ＡＣＫフィードバックテーブルは表６に示される。Ｍが４に等しいとき、ＨＡＲＱ−ＡＣＫフィードバックテーブルは表７に示される。表５、表６、及び表７において、各表の最も左の位置から始めると、第１列は、ＨＡＲＱ−ＡＣＫの状態、すなわち、ＡＣＫ又はＮＡＣＫを示し、第２列は、ＨＡＲＱ−ＡＣＫを送信するための選択されたチャネルであり、第３列は、ＨＡＲＱ−ＡＣＫを送信するための変調シンボルの状態を示し、Ｎ／Ａは、考慮していないことを示す。
【表５】
0006460430.tif 000006
【表６】
0006460430.tif 000007
【表７】
0006460430.tif 000008
【０１５０】
本発明のこの実施形態において、全二重ＵＥがアップリンク−ダウンリンク構成５におけるセカンダリサービングセルを用いるとき、アップリンク−ダウンリンク構成５において最大３つのセカンダリサービングセル、すなわち、最大４つのサービングセルのＣＡがサポートされてよく、加えて、セカンダリサービングセルのＨＡＲＱ−ＡＣＫ性能とフィードバック遅延とが両方最適化される。
【０１５１】
別の実際のアプリケーションシナリオにおいて、ＵＥは全二重ＵＥであり、Ｓ１０４は、ＰＤＳＣＨに対応するＨＡＲＱ−ＡＣＫが受信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値であり、Ｍ値に従って、ＰＵＣＣＨフォーマット３のモードにおけるＨＡＲＱ−ＡＣＫコードブックサイズを決定する段階と、ＨＡＲＱ−ＡＣＫコードブックサイズに従いプライマリサービングセルにおいて、ＰＤＳＣＨに対応するＨＡＲＱ−ＡＣＫを受信する段階とを含んでよい。コードブックサイズは、ＨＡＲＱ−ＡＣＫの情報ビットの数である。例えば、ダウンリンクデータのトランスポートブロックがスケジューリングされる場合、１ビットのＨＡＲＱ−ＡＣＫが、フィードバックされるのに必要であり、ダウンリンクデータのＮ個のトランスポートブロックがスケジューリングされる場合、ＮビットのＨＡＲＱ−ＡＣＫが、フィードバックされるのに必要である。このアプリケーションシナリオと前述のアプリケーションシナリオとの間の差は、決定されたＭ値に従って決定されるＰＵＣＣＨ送信モードが異なるということのみにある。詳細はここで再び説明されない。
【０１５２】
さらに別の実際のアプリケーションシナリオにおいて、ＵＥは半二重ＵＥであり、すなわち、ＵＥは、２つのサービングセルにおける同時受信及び送信をサポートしていない。例えば、プライマリサービングセルがアップリンクサブフレームであり、セカンダリサービングセルがダウンリンクサブフレームであると仮定すると、半二重ＵＥは、同時に、プライマリサービングセルにおいて情報を送信し、セカンダリサービングセルにおいて情報を受信することができない。具体的には、原則は、ＵＥがより高い優先度でプライマリサービングセルのサブフレームの方向を用いてよく、すなわち、ＵＥが、プライマリサービングセルにおいて情報を送信してよいが、セカンダリサービングセルにおいて情報を同時に受信することができないことである。もちろん、基地局はまた、セカンダリサービングセルにおいて、ＵＥに対するサブフレーム内のダウンリンク情報をスケジュールしない。これは、逆にも適用可能である。プライマリサービングセルがダウンリンクサブフレームであり、かつ、セカンダリサービングセルがアップリンクサブフレームである場合、ＵＥは、プライマリサービングセルにおいて情報を受信し得るが、セカンダリサービングセルにおいて情報を送信することができない。
【０１５３】
このアプリケーションシナリオにおいて、Ｓ１０４は、ＰＤＳＣＨに対応するＨＡＲＱ−ＡＣＫが受信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームである、決定する段階と、Ｍ値に従ってチャネル選択モードにおけるＨＡＲＱ−ＡＣＫフィードバックテーブルを決定する段階と、ＨＡＲＱ−ＡＣＫフィードバックテーブルに従いプライマリサービングセルにおいて、ＰＤＳＣＨに対応するＨＡＲＱ−ＡＣＫを受信する段階とを含んでよい。
【０１５４】
具体的には、表４に示されるように、アップリンク−ダウンリンク構成２におけるプライマリサービングセルのサブフレーム２及びサブフレーム７は、セカンダリサービングセルのサブフレームについてのＨＡＲＱ−ＡＣＫがフィードバックされるサブフレームである。ＵＥは、サブフレームのＭ値をそれぞれ決定する必要がある。サブフレームがサブフレーム２であると仮定すると、サブフレーム２は、セカンダリサービングセルのサブフレームについてのＨＡＲＱ−ＡＣＫに対応するセカンダリサービングセルのサブフレームに含まれる番号セット｛８、７、６、５、４｝内の合計５つのサブフレームをフィードバックできる。番号セットにおいて、フィードバックされ、かつ、アップリンク−ダウンリンク構成５におけるセカンダリサービングセルのサブフレームに対応し得る全てのサブフレームは、ダウンリンクサブフレーム又はスペシャルサブフレームであり、具体的には、セカンダリサービングセルのサブフレーム４、５、６、７及び８である。しかしながら、番号５に対応するセカンダリサービングセルのサブフレームは、サブフレーム７である。プライマリサービングセルのサブフレーム７がアップリンクサブフレームであることを考慮すると、半二重ＵＥは、セカンダリサービングセルのサブフレーム７においてＰＤＳＣＨを受信することができない。加えて、番号６に対応するセカンダリサービングセルのサブフレームは、ダウンリンクサブフレーム６である。プライマリサービングセルのサブフレーム６がスペシャルサブフレームであることを考慮すると、半二重ＵＥはまた、セカンダリサービングセルのダウンリンクサブフレーム６においてＰＤＳＣＨを受信することができない。故に、２つのサブフレーム（５及び６）は、減算される必要がある、すなわち、Ｍ値は、５−２＝３である。任意で、前述のサブフレームのうち１つのみが減算されてよい、すなわち、番号５に対応するセカンダリサービングセルのサブフレーム７のみが減算されてよいが、番号６に対応するセカンダリサービングセルのサブフレーム６は減算されず、この場合、Ｍ値は４である、又は、番号６に対応するセカンダリサービングセルのサブフレーム６のみが減算されてよいが、番号５に対応するセカンダリサービングセルのサブフレーム７は減算されず、この場合、Ｍ値はまた４である。
【０１５５】
サブフレームがサブフレーム７であると仮定すると、サブフレーム７は、セカンダリサービングセルのサブフレームについてのＨＡＲＱ−ＡＣＫに対応するセカンダリサービングセルのサブフレームに含まれる番号セット｛８、７、６、５、４｝内の合計５つのサブフレームをフィードバックできる。番号セットにおいて、フィードバックされ、かつ、アップリンク−ダウンリンク構成５におけるセカンダリサービングセルのアップリンクサブフレームに対応し得るサブフレームの数は１である。具体的には、番号セット内の番号５に対応するアップリンクサブフレームは、セカンダリサービングセルのアップリンクサブフレーム２であり、サブフレーム７のＭ値は、５−１＝４である。本発明のこの実施形態において、番号セット内の番号の順序は限定されるものではない。
【０１５６】
Ｍ値が決定された後、基地局及びＵＥは、Ｍ値に従って、チャネル選択モードにおけるＨＡＲＱ−ＡＣＫフィードバックテーブルを決定してよく、さらに、ＨＡＲＱ−ＡＣＫフィードバックテーブルに従いプライマリサービングセルにおいて、ＰＤＳＣＨに対応するＨＡＲＱ−ＡＣＫを受信してよい。本発明のこの実施形態において、Ｍ値は、４より小さく又は等しいので、ＵＥが半二重ＵＥであるとき、プライマリ−セカンダリサービングセルの組み合わせ（２、５）のＰＵＣＣＨ送信モードは、チャネル選択モードをサポートしてよい。
【０１５７】
本発明のこの実施形態において、半二重ＵＥがアップリンク−ダウンリンク構成５におけるセカンダリサービングセルを用いるとき、アップリンク−ダウンリンク構成５における最大４つのセカンダリサービングセル、すなわち、最大５つのサービングセルのＣＡがサポートされてよく、加えて、セカンダリサービングセルのＨＡＲＱ−ＡＣＫ性能とフィードバック遅延とが両方最適化される。
【０１５８】
さらにもう一つの別の実際のアプリケーションシナリオにおいて、ＵＥは半二重ＵＥであり、Ｓ１０４は、ＰＤＳＣＨに対応するＨＡＲＱ−ＡＣＫが受信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームである、決定する段階と、Ｍ値に従って、ＰＵＣＣＨフォーマット３のモードにおけるＨＡＲＱ−ＡＣＫコードブックサイズを決定する段階と、ＨＡＲＱ−ＡＣＫコードブックサイズに従いプライマリサービングセルにおいて、ＰＤＳＣＨに対応するＨＡＲＱ−ＡＣＫを受信する段階とを含んでよい。このアプリケーションシナリオと前述のアプリケーションシナリオとの間の差は、決定されたＭ値に従って決定されるＰＵＣＣＨ送信モードが異なるということのみにある。詳細はここで再び説明されない。
【０１５９】
２．プライマリ−セカンダリサービングセルの組み合わせが（１、２）であり、又は、プライマリサービングセルがアップリンク−ダウンリンク構成１であり、及び、複数のセカンダリサービングセルがアップリンク−ダウンリンク構成２であるシナリオについて。
【０１６０】
具体的には、表８において、セカンダリサービングセルの現在の時系列に従い、プライマリ−セカンダリサービングセルの組み合わせ（１、２）内のアップリンク−ダウンリンク構成２におけるセカンダリサービングセルの基準アップリンク−ダウンリンク構成は、セカンダリサービングセル自身のアップリンク−ダウンリンク構成２である。表８に示されるように、セカンダリサービングセルのＨＡＲＱ−ＡＣＫフィードバックサブフレームがプライマリサービングセルの４つのアップリンクサブフレーム内の２つのサブフレームであり、それらのＭ値が両方４であり、セカンダリサービングセルの新たな時系列が用いられた後、表８における新たな時系列がプライマリ−セカンダリセルの組み合わせ（１、２）のものと一致し、Ｍ値を取得するための方法もまた一致することが分かり得る。加えて、新たな時系列が用いられた後、セカンダリサービングセルのＨＡＲＱ−ＡＣＫフィードバックサブフレームは、プライマリサービングセルの全てのアップリンクサブフレームに拡張される。故に、複数のサブフレーム間のＭ値の等化が最適化され、Ｍ値の減少に起因して性能が改善される。加えて、いくつかのサブフレームについてのフィードバック遅延も最適化される。例えば、ＰＤＳＣＨサブフレーム４及びサブフレーム９のフィードバック遅延は、４サブフレームだけ短縮される。
【表８】
0006460430.tif 000009
【０１６１】
この実施形態において、他のＴＤＤ  ＣＡの組み合わせが「プライマリサービングセルのアップリンクサブフレームがセカンダリサービングセルのアップリンクサブフレームに含まれない」という条件を満たす場合、もしアップリンク−ダウンリンク構成５が考慮されていないのであれば、最大５つのサービングセルのＣＡがサポートされてよく、加えて、セカンダリサービングセルのＨＡＲＱ−ＡＣＫ性能とフィードバック遅延とが両方最適化される。
【０１６２】
ここでは、全二重ＵＥに対応するシナリオのみが説明される。半二重ＵＥに対応するシナリオは、前述の実施形態におけるものと同様であり、ここで再び説明されない。
【０１６３】
加えて、現在のシステムに存在する二重機能を報告するので、本発明において、ＵＥが全二重ＵＥであり、又は、半二重ＵＥであることを示すためのシグナリングは、現在のシステム内の二重機能を報告するためのシグナリングと同一であってよく、又は、現在のシステム内の半二重機能を報告するためのシグナリングとは無関係であってよい。
【０１６４】
前述の実施形態に基づいて、Ｓ１０１の前に、方法は、ＵＥにより報告される能力情報を受信する段階であって、能力情報は、ＵＥがＨＡＲＱ時系列関係をサポートするか否かを示すべく用いられる、受信する段階と、能力情報に従って、ＵＥがＨＡＲＱ時系列関係をサポートすることを決定する段階とをさらに含んでよい。
【０１６５】
具体的には、ＴＤＤ  ＣＡ内の既存のＨＡＲＱ時系列関係が現在のシステムに存在し、元のＨＡＲＱ時系列関係と一時的にみなされ、前述の時系列関係が新たな能力情報のために導入される。加えて、現在のシステムがＴＤＤ−ＦＤＤ  ＣＡをさらにサポートすることを考慮すると、能力情報の報告は、前述のＴＤＤ−ＦＤＤ  ＣＡの能力と結び付けられてよく、又は、同一のシグナリングが報告のために用いられてよく、すなわち、いったんＵＥがＴＤＤ−ＦＤＤ  ＣＡをサポートする能力を報告すると、ＵＥはまた、前述のＨＡＲＱ時系列関係をサポートする能力を有する。任意で、能力報告はまた、現在のシステムにおけるＴＤＤ−ＦＤＤ  ＣＡ能力の報告とは無関係であってよい。
【０１６６】
前述の実施形態において、プライマリサービングセルのアップリンク−ダウンリンク構成は、以下の条件のうちの少なくとも１つを満たす。
【０１６７】
条件１、プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【０１６８】
条件２、プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【０１６９】
条件３、プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【０１７０】
条件４、プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算される。
【０１７１】
任意で、セカンダリサービングセルのＴＤＤアップリンク‐ダウンリンク構成はアップリンク−ダウンリンク構成５である。セカンダリサービングセルのアップリンク−ダウンリンク構成が５であるとき、プライマリサービングセルのアップリンク−ダウンリンク構成は前述した条件のうちの少なくとも１つを満たす。加えて、この場合、本発明のこの実施形態の効果が依然として存在する。マルチキャリアは、いくつかのＴＤＤアップリンク‐ダウンリンク構成において構成され得る。例えば、セカンダリサービングセルの構成がアップリンク−ダウンリンク構成５であるとき、ＰＵＣＣＨフォーマット３のモードは、アップリンク−ダウンリンク構成５において、２つより多いセカンダリサービングセルのＣＡをサポートしてよく、フィードバックされる必要があるＨＡＲＱ−ＡＣＫは、キャリアアグリゲーション内の前述したＨＡＲＱ時系列関係に従ってフィードバックのために複数の異なるアップリンクサブフレーム分散され得る。故に、フィードバック遅延が短縮され、フィードバック性能が改善される。
【０１７２】
図５は、本発明に係る応答情報を送信するための方法の実施形態２についての概略フローチャートである。本発明のこの実施形態は、応答情報を送信するための方法を提供する。方法は、ＴＤＤシステムに適用され、応答情報を送信するための装置により実行されてよく、装置は、デバイス、例えば、ユーザ機器に統合されてよい。図５に示されるように、方法は、以下の段階を含む。
【０１７３】
Ｓ５０１．セカンダリサービングセルにおいてＰＤＳＣＨを受信し、セカンダリサービングセルは、ＵＥのための基地局により構成されるＮ個のＴＤＤセカンダリサービングセル内のセカンダリサービングセルであり、Ｎは、１より大きい又は等しい自然数である。
【０１７４】
Ｓ５０２．セカンダリサービングセルに対応するＨＡＲＱ時系列関係を決定し、ＨＡＲＱ時系列関係は、ＰＤＳＣＨとＨＡＲＱ−ＡＣＫとの間のＨＡＲＱ時系列関係である。
【０１７５】
Ｓ５０３．ＨＡＲＱ時系列関係に従いプライマリサービングセルにおいて、ＰＤＳＣＨに対応するＨＡＲＱ−ＡＣＫを送信し、プライマリサービングセルは、ＵＥのための基地局により構成されるＴＤＤプライマリサービングセルである。
【０１７６】
本発明のこの実施形態の方法は、前述の方法の実施形態に対応する。前述の方法の実施形態では、ＰＤＳＣＨは、セカンダリサービングセルにおいて送信され、ＰＤＳＣＨに対応するＨＡＲＱ−ＡＣＫは、ＨＡＲＱ時系列関係に従いプライマリサービングセルにおいて受信されている。この実施形態では、ＰＤＳＣＨは、セカンダリサービングセルにおいて受信され、ＰＤＳＣＨに対応するＨＡＲＱ−ＡＣＫは、ＨＡＲＱ時系列関係に従いプライマリサービングセルにおいて送信される。これらの実装原則及び技術的効果は同様である。故に、簡潔な説明のみがここで提供され、詳細はここで再び説明されない。
【０１７７】
前述に基づいて、ＨＡＲＱ時系列関係は、プライマリサービングセルのアップリンク−ダウンリンク構成がアップリンク−ダウンリンク構成０、アップリンク−ダウンリンク構成１、アップリンク−ダウンリンク構成２、又はアップリンク−ダウンリンク構成６のうちの何れか１つであることを含む。具体的には、プライマリサービングセルの構成が前述した異なるアップリンク−ダウンリンク構成であるとき、プライマリサービングセルにおいてフィードバックされ得るＨＡＲＱ−ＡＣＫに対応するセカンダリサービングセルのサブフレームは異なる。詳細な説明が以下に提供される。
【０１７８】
プライマリサービングセルのアップリンク−ダウンリンク構成がアップリンク−ダウンリンク構成０であるとき、プライマリサービングセルのアップリンクサブフレームは、サブフレーム２、サブフレーム３、サブフレーム４、サブフレーム７、サブフレーム８、及びサブフレーム９を含み、対応するサブフレーム２から５サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から４サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から４サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から５サブフレームだけ前方にオフセットされ及び／又は４サブフレームだけ前方にオフセットされるサブフレームに対応するセカンダリサービングセルのサブフレームについてのＨＡＲＱ−ＡＣＫは、プライマリサービングセルのサブフレーム８においてフィードバックされ、対応するサブフレーム９から４サブフレームだけ前方にオフセットされるサブフレームに対応するセカンダリサービングセルのサブフレームについてのＨＡＲＱ−ＡＣＫは、プライマリサービングセルのサブフレーム９においてフィードバックされる。
【０１７９】
プライマリサービングセルのアップリンク−ダウンリンク構成がアップリンク−ダウンリンク構成１であるとき、プライマリサービングセルのアップリンクサブフレームは、サブフレーム２、サブフレーム３、サブフレーム７、及びサブフレーム８を含み、対応するサブフレーム２から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム３においてフィードバックされ、対応するサブフレーム７から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされる。
【０１８０】
プライマリサービングセルのアップリンク−ダウンリンク構成がアップリンク−ダウンリンク構成２であるとき、プライマリサービングセルのアップリンクサブフレームは、サブフレーム２及びサブフレーム７を含み、対応するサブフレーム２から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム２においてフィードバックされ、対応するサブフレーム７から８サブフレームだけ前方にオフセットされ、７サブフレームだけ前方にオフセットされ、６サブフレームだけ前方にオフセットされ、５サブフレームだけ前方にオフセットされ、及び４サブフレームだけ前方にオフセットされるサブフレームに対応するセカンダリサービングセルの少なくとも１つのサブフレームについてのＨＡＲＱ−ＡＣＫは、プライマリサービングセルのサブフレーム７においてフィードバックされる。
【０１８１】
プライマリサービングセルのアップリンク−ダウンリンク構成がアップリンク−ダウンリンク構成６であるとき、プライマリサービングセルのアップリンクサブフレームは、サブフレーム２、サブフレーム３、サブフレーム４、サブフレーム７、及びサブフレーム８を含み、対応するサブフレーム２から８サブフレームだけ前方にオフセットされ及び／又は７サブフレームだけ前方にオフセットされるサブフレームに対応するセカンダリサービングセルのサブフレームについてのＨＡＲＱ−ＡＣＫは、プライマリサービングセルのサブフレーム２においてフィードバックされ、対応するサブフレーム３から７サブフレームだけ前方にオフセットされ及び／又は６サブフレームだけ前方にオフセットされるサブフレームに対応するセカンダリサービングセルのサブフレームについてのＨＡＲＱ−ＡＣＫは、プライマリサービングセルのサブフレーム３においてフィードバックされ、対応するサブフレーム４から６サブフレームだけ前方にオフセットされ及び／又は５サブフレームだけ前方にオフセットされるサブフレームに対応するセカンダリサービングセルのサブフレームについてのＨＡＲＱ−ＡＣＫは、プライマリサービングセルのサブフレーム４においてフィードバックされ、対応するサブフレーム７から７サブフレームだけ前方にオフセットされるサブフレームに対応するセカンダリサービングセルのサブフレームについてのＨＡＲＱ−ＡＣＫは、プライマリサービングセルのサブフレーム７においてフィードバックされ、対応するサブフレーム８から７サブフレームだけ前方にオフセットされ、６サブフレームだけ前方にオフセットされ、及び５サブフレームだけ前方にオフセットされるサブフレームに対応するセカンダリサービングセルの少なくとも１つのサブフレームについてのＨＡＲＱ−ＡＣＫは、プライマリサービングセルのサブフレーム８においてフィードバックされる。
【０１８２】
本発明の任意の実施形態において、プライマリサービングセルのアップリンクサブフレームがセカンダリサービングセルのアップリンクサブフレームではないアップリンクサブフレームを含むことに留意すべきである。
【０１８３】
加えて、プライマリサービングセルのアップリンク−ダウンリンク構成がアップリンク−ダウンリンク構成０であるとき、プライマリサービングセルのサブフレーム２、サブフレーム３、サブフレーム７、又はサブフレーム８においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム４又はサブフレーム９においてフィードバックされ得るセカンダリサービングセルのサブフレームについてのＨＡＲＱ−ＡＣＫに対応するセカンダリサービングセルのサブフレームの数は１である。
【０１８４】
プライマリサービングセルのアップリンク−ダウンリンク構成がアップリンク−ダウンリンク構成１であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム３又はサブフレーム８においてフィードバックされ得るセカンダリサービングセルのサブフレームについてのＨＡＲＱ−ＡＣＫに対応するセカンダリサービングセルのサブフレームの数は３である。
【０１８５】
プライマリサービングセルのアップリンク−ダウンリンク構成がアップリンク−ダウンリンク構成２であるとき、プライマリサービングセルのサブフレーム２又はサブフレーム７においてフィードバックされ得るセカンダリサービングセルのサブフレームについてのＨＡＲＱ−ＡＣＫに対応するセカンダリサービングセルのサブフレームの数は５である。
【０１８６】
プライマリサービングセルのアップリンク−ダウンリンク構成がアップリンク−ダウンリンク構成６であるとき、プライマリサービングセルのサブフレーム２、サブフレーム３、又はサブフレーム４においてフィードバックされ得るセカンダリサービングセルのサブフレームについてのＨＡＲＱ−ＡＣＫに対応するセカンダリサービングセルのサブフレームの数は２であり、プライマリサービングセルのサブフレーム７においてフィードバックされ得るセカンダリサービングセルのサブフレームについてのＨＡＲＱ−ＡＣＫに対応するセカンダリサービングセルのサブフレームの数は１であり、プライマリサービングセルのサブフレーム８においてフィードバックされ得るセカンダリサービングセルのサブフレームについてのＨＡＲＱ−ＡＣＫに対応するセカンダリサービングセルのサブフレームの数は３である。
【０１８７】
異なる送信モードにおけるＵＥに対し、以下の異なるシナリオが含まれるが、これは限定されるものではない。
【０１８８】
シナリオ１、ＵＥは全二重ＵＥであり、Ｓ５０３は、ＰＤＳＣＨに対応するＨＡＲＱ−ＡＣＫが送信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値である、決定する段階と、Ｍ値に従って、チャネル選択モードにおけるＨＡＲＱ−ＡＣＫフィードバックテーブルを決定する段階と、ＨＡＲＱ−ＡＣＫフィードバックテーブルに従いプライマリサービングセルにおいて、ＰＤＳＣＨに対応するＨＡＲＱ−ＡＣＫを送信する段階とを含んでよい。
【０１８９】
シナリオ２、ＵＥは全二重ＵＥであり、Ｓ５０３は、ＰＤＳＣＨに対応するＨＡＲＱ−ＡＣＫが送信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数が減算された後に取得される数値である、決定する段階と、Ｍ値に従って、物理アップリンク制御チャネルフォーマット３のモードにおけるＨＡＲＱ−ＡＣＫコードブックサイズを決定する段階と、ＨＡＲＱ−ＡＣＫコードブックサイズに従いプライマリサービングセルにおいて、ＰＤＳＣＨに対応するＨＡＲＱ−ＡＣＫを送信する段階とを含んでよい。
【０１９０】
シナリオ３、ＵＥは半二重ＵＥであり、Ｓ５０３は、ＰＤＳＣＨに対応するＨＡＲＱ−ＡＣＫが送信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームである、決定する段階と、Ｍ値に従って、チャネル選択モードにおけるＨＡＲＱ−ＡＣＫフィードバックテーブルを決定する段階と、ＨＡＲＱ−ＡＣＫフィードバックテーブルに従いプライマリサービングセルにおいて、ＰＤＳＣＨに対応するＨＡＲＱ−ＡＣＫを送信する段階とを含んでよい。
【０１９１】
シナリオ４、ＵＥは半二重ＵＥであり、Ｓ５０３は、ＰＤＳＣＨに対応するＨＡＲＱ−ＡＣＫが送信されるサブフレームに従ってＭ値を決定する段階であって、Ｍ値は、プライマリサービングセルのサブフレームにおいてフィードバックされ得るセカンダリサービングセルのサブフレームについてのＨＡＲＱ−ＡＣＫに対応するセカンダリサービングセルのサブフレームの数から、セカンダリサービングセルのサブフレーム内のアップリンクサブフレームの数と、セカンダリサービングセルのサブフレーム内のダウンリンクサブフレームの数とが減算された後に取得される数値であり、ダウンリンクサブフレームと同じ時間におけるサブフレームは、プライマリサービングセル内のアップリンクサブフレーム又はスペシャルサブフレームである、決定する段階と、Ｍ値に従って、物理アップリンク制御チャネルフォーマット３のモードにおけるＨＡＲＱ−ＡＣＫコードブックサイズを決定する段階と、ＨＡＲＱ−ＡＣＫコードブックサイズに従いプライマリサービングセルにおいて、ＰＤＳＣＨに対応するＨＡＲＱ−ＡＣＫを送信する段階とを含んでよい。
【０１９２】
さらに、Ｓ５０１の前に、方法は、能力情報を基地局に報告する段階であって、能力情報は、ＵＥがＨＡＲＱ時系列関係をサポートするか否かを示すべく用いられる、報告する段階と、能力情報に従って、ＵＥがＨＡＲＱ時系列関係をサポートすることを決定する段階をさらに含んでよい。
【０１９３】
プライマリサービングセルのアップリンク−ダウンリンク構成は、プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件、又は、プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、少なくとも１つが減算されるという条件のうちの少なくとも１つを満たす。
【０１９４】
加えて、セカンダリサービングセルのアップリンク−ダウンリンク構成がアップリンク−ダウンリンク構成５であるとき、
プライマリサービングセルのアップリンク−ダウンリンク構成は、
プライマリサービングセルのアップリンク−ダウンリンク構成がアップリンク−ダウンリンク構成０であるとき、プライマリサービングセルのサブフレーム２、サブフレーム３、サブフレーム４、サブフレーム７、サブフレーム８、又はサブフレーム９のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、
プライマリサービングセルのアップリンク−ダウンリンク構成がアップリンク−ダウンリンク構成１であるとき、プライマリサービングセルのサブフレーム２、サブフレーム３、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、
プライマリサービングセルのアップリンク−ダウンリンク構成がアップリンク−ダウンリンク構成２であるとき、プライマリサービングセルのサブフレーム２又はサブフレーム７のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件、又は、
プライマリサービングセルのアップリンク−ダウンリンク構成がアップリンク−ダウンリンク構成６であるとき、プライマリサービングセルのサブフレーム２、サブフレーム３、サブフレーム４、サブフレーム７、又はサブフレーム８のうちの少なくとも１つにおいてフィードバックされるセカンダリサービングセルのサブフレームについてのＨＡＲＱ−ＡＣＫに対応するセカンダリサービングセルのサブフレームから、１つが減算されるという条件のうちの少なくとも１つを満たす。
【０１９５】
本発明のこの実施形態において、キャリアアグリゲーション内のＨＡＲＱ時系列関係は、プライマリサービングセルのアップリンク−ダウンリンク構成を前述のアップリンク−ダウンリンク構成のうちの何れか１つに制限すべく再規定され、これにより、マルチキャリアは、いくつかのＴＤＤアップリンク‐ダウンリンク構成における前述の制約条件を満たすキャリアアグリゲーション用に構成され得る。例えば、セカンダリサービングセルの構成がアップリンク−ダウンリンク構成５であるとき、ＰＵＣＣＨフォーマット３のモードは、アップリンク−ダウンリンク構成５において、２つより多いセカンダリサービングセルのＣＡをサポートしてよく、フィードバックされる必要があるＨＡＲＱ−ＡＣＫは、キャリアアグリゲーション内の前述したＨＡＲＱ時系列関係に従ってフィードバックのために複数の異なるアップリンクサブフレーム分散され得る。故に、フィードバック遅延が短縮され、フィードバック性能が改善される。
【０１９６】
当業者は、方法の実施形態についての段階の全て又はいくつかが関連するハードウェアに命令するプログラムにより実装され得ることを理解し得る。プログラムは、コンピュータ可読記憶媒体に格納されてよい。プログラムが起動するとき、方法の実施形態についての段階が実行される。前述した記憶媒体は、ＲＯＭ、ＲＡＭ、磁気ディスク、又は光ディスクのような、プログラムコードを格納できる任意の媒体を含む。
【０１９７】
最後に、前述の実施形態は、単に本発明の技術的解決法を説明することを目的としたものに過ぎず、本発明を限定することを目的としたものでないことに留意すべきである。本発明は、前述の実施形態に関して詳細に説明されているが、当業者は、それらが、本発明の実施形態の技術的解決法の範囲から逸脱することなく、前述の実施形態において説明された技術的解決法に対する変更をさらに行ってよく、又は、これらのいくつか又は全ての技術的特徴に対する同等の置き換えを行ってよいことを理解すべきである。
【図１】
0006460430.tif 000010
【図２】
0006460430.tif 000011
【図３】
0006460430.tif 000012
【図４】
0006460430.tif 000013
【図５】
0006460430.tif 000014